(57)【要約】【課題】調光装置の窓面が汚れるのを防止し、かつ調光基板同士が接触することにより形成されるキズを防止することを可能にする技術を提供する。【解決手段】本開示による調光装置は、互いに対向する第１の側と第２の側を規定する調光装置の第１の側に配置された第１の調光部と、第２の側に配置された第２の調光部と、を有する調光部材を備える。少なくとも第１の調光部は、所定の移動方向に移動可能であって、第１の調光部は、第１軸方向に沿って光学特性が変化する複数の第１調光領域を含み、第２の調光部は、第１軸方向に沿って光学特性が変化する複数の第２調光領域を含む。第１調光領域と第２調光領域との対向位置によって、調光装置の調光状態が変化する。第１の調光部の第１の側には、所定の移動方向に非平行な傾斜面部が設けられている。【選択図】図１
2018072636.tif 000002
【特許請求の範囲】
【請求項１】
互いに対向する第１の側と第２の側を規定する調光装置の前記第１の側に配置された第１の調光部と、前記第２の側に配置された第２の調光部と、を有する調光部材を備え、
少なくとも前記第１の調光部は、所定の移動方向に移動可能であって、
前記第１の調光部は、第１軸方向に沿って光学特性が変化する複数の第１調光領域を含み、
前記第２の調光部は、前記第１軸方向に沿って光学特性が変化する複数の第２調光領域を含み、
前記第１調光領域と前記第２調光領域との対向位置によって、前記調光装置の調光状態が変化し、
前記第１の調光部の前記第１の側には、前記所定の移動方向に非平行な傾斜面部が設けられている、調光装置。
【請求項２】
請求項１において、
前記調光部材は、第１の調光基板と、第２の調光基板とによって構成され、
前記第１の調光基板が、前記第１の調光部を提供し、
前記第２の調光基板が、前記第２の調光部を提供する、調光装置。
【請求項３】
請求項１又は２において、
前記第１の調光部には取っ手部が設けられ、
前記取っ手部の側面は前記傾斜面部を含む、調光装置。
【請求項４】
請求項３において
前記第１の調光部と前記取っ手部との間に接着層をさらに有し、
前記接着層は透明である、調光装置。
【請求項５】
請求項３において、
前記第１の調光部が、前記取っ手部を含む一体成型品として構成されている、調光装置。
【請求項６】
請求項３乃至５の何れか１項において、
前記取っ手部の前記第１の調光部からの高さが、前記筐体の前記第１の調光部からの高さよりも低い、調光装置。
【請求項７】
請求項３乃至６の何れか１項において、
前記第１の調光部が前記筐体において基準となる第１位置にあるとき、前記調光部材の少なくとも一部の領域における調光状態が第１状態を示し、
前記第１の調光部が前記所定の移動方向に移動し、前記取っ手部が前記筐体の内枠端部に接触する第２位置にあるとき、前記調光部材の少なくとも一部の領域における前記調光状態が第２状態を示す、調光装置。
【請求項８】
請求項７において、
前記第１状態は、光透過状態、又は遮光状態であり、
前記第１状態が光透過状態のとき、前記第２状態は遮光状態であり、前記第１状態が遮光状態のとき、前記第２状態は光透過状態である、調光装置。
【請求項９】
請求項７又は８において、
前記第１の調光部が前記第１位置と前記第２位置との間を移動するに従って、前記調光状態が、前記第１状態と前記第２状態との間において段階的に変化する、調光装置。
【請求項１０】
請求項３乃至９の何れか１項において、
前記調光部材は、前記第１の側及び前記第２の側を開口する筐体に収容され、
前記筐体の内枠端部が前記取っ手部と接触する面、及び前記取っ手部が前記筐体の内枠端部と接触する面の少なくとも何れか一方に、前記取っ手部が前記筐体の内枠端部に当たるときの衝撃を緩和する緩衝手段が設けられている、調光装置。
【請求項１１】
請求項１又は２において、
前記調光部材は、前記第１の側及び前記第２の側を開口する筐体に収容され、
前記第１の調光部には取っ手部が設けられ、
前記筐体は、さらに、前記取っ手部の動く範囲を規制するように構成された窓部を備え、
前記取っ手部は、前記窓部の第１端部から当該第１端部とは異なる第２端部までの範囲内で移動可能となっている、調光装置。
【請求項１２】
請求項１１において、
前記取っ手部が前記窓部の前記第１端部にあるとき、前記調光部材の少なくとも一部の領域における調光状態が第１状態を示し、
前記取っ手部によって前記第１の調光部が前記所定の移動方向に移動し、前記取っ手部が前記窓部の前記第２端部にあるとき、前記調光部材の少なくとも一部の領域における前記調光状態が第２状態を示す、調光装置。
【請求項１３】
請求項１２において、
前記第１状態は、光透過状態、又は遮光状態であり、
前記第１状態が光透過状態のとき、前記第２状態は遮光状態であり、前記第１状態が遮光状態のとき、前記第２状態は光透過状態である、調光装置。
【請求項１４】
請求項１３において、
前記取っ手部が前記第１端部と前記第２端部との間を移動するに従って、前記調光状態が、前記第１状態と前記第２状態との間において段階的に変化する、調光装置。
【請求項１５】
請求項１又は２において、
前記第１の調光部には、ユーザが指を引っ掛けて前記第１の調光部を前記所定の移動方向に移動させることを可能にする凹部が設けられている、調光装置。
【請求項１６】
請求項１５において、
前記凹部と前記筐体の内枠端部との間に設けられた凸状ストッパをさらに備え、
前記凸状ストッパが前記筐体の内枠端部に接触することにより、前記所定の移動方向への前記第１の調光部の移動を規制するように構成された、調光装置。
【請求項１７】
請求項１５において、
前記凹部と前記筐体の内枠端部との間に設けられた凸状ストッパと、
前記筐体の内枠端部から突出する突出部と、
前記突出部の前記内枠端部からの突出量を調整する突出量調整機構と、をさらに備え、
前記凸状ストッパが前記突出部に接触することにより、前記所定の移動方向への前記第１の調光部の移動を規制するように構成された、調光装置。
【請求項１８】
対向する第１面及び第２面を有する基板と、当該基板の前記第１面上に積層された偏光層と、当該偏光層の上に積層された位相差層と、を備え、
前記基板の前記第２面に、当該第２面とは非平行な傾斜面部が設けられている、調光基板。
【請求項１９】
請求項１８において、
前記第２面には、取っ手部或いは凹部が設けられ、
前記取っ手部或いは前記凹部の側面は前記傾斜面部を含む、調光基板。
【請求項２０】
請求項１８又は１９において、
前記位相差層は、第１軸方向に沿って光学特性が変化する複数の調光領域を含み、
前記複数の調光領域のそれぞれは、前記第１軸方向に沿って交互に配列された、遅相軸方向が互いに異なる第１領域及び第２領域を含む、調光基板。
【請求項２１】
請求項１８又は１９において、
前記位相差層は、第１軸方向に沿って光学特性が変化する複数の調光領域を含み、
前記複数の調光領域のそれぞれでは、前記第１軸方向に沿って遅相軸方向が段階的に変化している、調光基板。
【請求項２２】
対向する第１面及び第２面を有する基板と、当該基板の前記第１面上に積層された偏光層と、を備え、
前記基板の前記第２面に、当該第２面とは非平行な傾斜面部が設けられている、調光基板。
【請求項２３】
請求項２２において、
前記偏光層は、それぞれが、第１軸方向の偏光軸を有する第１領域と、前記第１軸方向と直交する第２軸方向の偏光軸を有する第２領域と、を備える複数の調光領域を含む、調光基板。
【請求項２４】
調光装置の製造方法であって、
開口を形成する筐体を用意することと、
第１の調光基板と第２の調光基板とを用意することと、
少なくとも前記第１の調光基板が前記筐体の中で所定の移動方向に移動可能なように、前記第１の調光基板及び前記第２の調光基板を前記筐体に収容することと、
前記第１の調光基板の面に、前記所定の移動方向に非平行な傾斜面部を設けることと、
を含み、
前記第１の調光基板は、第１軸方向に沿って光学特性が変化する複数の第１調光領域を含み、
前記第２の調光基板は、前記第１軸方向に沿って光学特性が変化する複数の第２調光領域を含む、製造方法。
【請求項２５】
請求項２４において、
前記傾斜面部は、取っ手部であり、
前記第１の調光基板と第２の調光基板とを用意することは、
前記第１の調光基板と、前記所定の移動方向において前記第１の調光基板の長さよりも長い前記第２の調光基板とを用意することを含み、
前記第１の調光基板及び前記第２の調光基板を前記筐体に収容することは、
前記第２の調光基板を前記筐体に固定し、前記第１の調光基板を前記筐体の中で前記所定の移動方向に移動可能なようにすることを含み、
前記傾斜面部を設けることは、
前記第１の調光基板の前記所定の移動方向とは反対方向の移動を規制する基準位置に、前記第１の調光基板の端部を合わせ、前記第１の調光基板の前記第１調光領域の位置と前記第２の調光基板の前記第２調光領域との位置を合わせて、前記調光装置の調光状態を第１状態とすることと、
前記調光装置の調光状態が前記第１状態とは異なる第２状態となる位置まで、前記第１の調光基板を前記所定の移動方向に移動させることと、
前記第１の調光基板の位置を前記第２状態の位置に維持しながら、前記取っ手部を前記筐体の内枠端部に接触させて貼合することと、を含む、製造方法。
【請求項２６】
請求項２５において、さらに、
前記筐体の内枠端部が前記取っ手部と接触する面、及び前記取っ手部が前記筐体の内枠端部と接触する面の少なくとも何れか一方に、前記取っ手部が前記筐体の内枠端部に当たるときの衝撃を緩和する緩衝手段を設けることを含む、製造方法。
【請求項２７】
調光装置の製造方法であって、
開口部を形成する筐体を用意することと、
一主面と、当該一主面とは非平行な傾斜面部と、を有する第１の調光基板と、第２の調光基板と、を用意することと、
少なくとも前記第１の調光基板が前記筐体の中で所定の移動方向に移動可能なように、前記第１の調光基板及び前記第２の調光基板を前記筐体に収容することと、を含み、
前記第１の調光基板は、第１軸方向に沿って光学特性が変化する複数の第１調光領域を含み、
前記第２の調光基板は、前記第１軸方向に沿って光学特性が変化する複数の第２調光領域を含む、製造方法。
【請求項２８】
請求項２７において、
前記傾斜面部は、凹部であり、
前記第１の調光基板と第２の調光基板とを用意することは、
前記第１の調光基板と、前記所定の移動方向において前記第１の調光基板の長さよりも長い前記第２の調光基板とを用意することを含み、
前記第１の調光基板と前記第２の調光基板を前記筐体に収容することは、
前記第２の調光基板を前記筐体に固定し、前記第１の調光基板を前記筐体の中で前記所定の移動方向に移動可能なようにすることと、
前記第１の調光基板の前記所定の移動方向とは反対方向の移動を規制する基準位置に、前記第１の調光基板の端部を合わせ、前記第１の調光基板の前記第１調光領域の位置と前記第２の調光基板の前記第２調光領域との位置を合わせて、前記調光装置の調光状態を第１状態とすることと、
前記調光装置の調光状態が前記第１状態とは異なる第２状態となる位置まで、前記第１の調光基板を前記所定の移動方向に移動させることと、
前記第１の調光基板の位置を前記第２状態の位置に維持しながら、凸状ストッパを前記筐体の内枠端部に接触させて貼合することと、を含む、製造方法。
【請求項２９】
請求項２７において、
前記傾斜面部は、凹部であり、
前記凹部の位置よりも前記所定の移動方向の側に凸部が前記第１の調光基板に設けられており、
前記筐体は、前記筐体の内枠端部から突出する突出部と、前記突出部の前記内枠端部からの突出量を調整する突出量調整機構と、を備え、
前記第１の調光基板と第２の調光基板とを用意することは、
前記第１の調光基板と、前記所定の移動方向において前記第１の調光基板の長さよりも長い前記第２の調光基板とを用意することを含み、
前記第１の調光基板と前記第２の調光基板を前記筐体に収容することは、
前記第２の調光基板を前記筐体に固定し、前記第１の調光基板を前記筐体の中で前記所定の移動方向に移動可能なようにすることと、
前記第１の調光基板の前記所定の移動方向とは反対方向の移動を規制する基準位置に、前記第１の調光基板の端部を合わせ、前記第１の調光基板の前記第１調光領域の位置と前記第２の調光基板の前記第２調光領域との位置を合わせて、前記調光装置の調光状態を第１状態とすることと、
前記調光装置の調光状態が前記第１状態とは異なる第２状態となる位置まで、前記第１の調光基板を前記所定の移動方向に移動させることと、
前記第１の調光基板の位置を前記第２状態の位置に維持しながら、前記凸部が前記突出部に接触するまで、前記突出量調整機構で前記突出部を前記内枠端部から突出させること、を含む、製造方法。
【請求項３０】
請求項２７において、
前記傾斜面部は、取っ手部であり、
前記筐体は、前記筐体の内枠端部から突出する突出部と、前記突出部の前記内枠端部からの突出量を調整する突出量調整機構と、を備え、
前記第１の調光基板と第２の調光基板とを用意することは、
前記第１の調光基板と、前記所定の移動方向において前記第１の調光基板の長さよりも長い前記第２の調光基板とを用意することを含み、
前記第１の調光基板と前記第２の調光基板を前記筐体に収容することは、
前記第２の調光基板を前記筐体に固定し、前記第１の調光基板を前記筐体の中で前記所定の移動方向に移動可能なようにすることと、
前記第１の調光基板の前記所定の移動方向とは反対方向の移動を規制する基準位置に、前記第１の調光基板の端部を合わせ、前記第１の調光基板の前記第１調光領域の位置と前記第２の調光基板の前記第２調光領域との位置を合わせて、前記調光装置の調光状態を第１状態とすることと、
前記調光装置の調光状態が前記第１状態とは異なる第２状態となる位置まで、前記第１の調光基板を前記所定の移動方向に移動させることと、
前記第１の調光基板の位置を前記第２状態の位置に維持しながら、前記取っ手部が前記突出部に接触するまで、前記突出量調整機構で前記突出部を前記内枠端部から突出させること、を含む、製造方法。
【発明の詳細な説明】
【技術分野】
【０００１】
本開示は、調光装置、調光基板、調光装置の製造方法に関する。
【背景技術】
【０００２】
特許文献１には、偏光板とパターン位相差板が各調光素子に貼合され、調光素子をスライドさせて各位相差板の光学軸の成す角を変化させることにより、明暗を切り替え、或いは連続的に透過率を変化させるように構成された調光装置が開示されている。このような調光装置に用いられる透過窓の原理が開示されている。
【先行技術文献】
【特許文献】
【０００３】
【特許文献１】特表２０１４−５０７６７６号公報
【発明の概要】
【発明が解決しようとする課題】
【０００４】
しかしながら、特許文献１に開示の調光装置において、ユーザが窓面の任意の場所に触れて調光素子をスライドさせる場合、ユーザの指等が窓面に触れることにより窓面がユーザの指紋等で汚れたり、窓面が押されることにより調光素子にキズが付いたりする可能性がある。
【０００５】
本開示は、調光装置の窓面が汚れることを防止し、かつ調光基板同士が接触することにより形成されるキズを防止することを可能にする技術を提供する。
【課題を解決するための手段】
【０００６】
（１）上記課題を解決するために、本開示による調光装置は、互いに対向する第１の側と第２の側を規定する調光装置の前記第１の側に配置された第１の調光部と、前記第２の側に配置された第２の調光部と、を有する調光部材を備え、少なくとも前記第１の調光部は、所定の移動方向に移動可能であって、前記第１の調光部は、第１軸方向に沿って光学特性が変化する複数の第１調光領域を含み、前記第２の調光部は、前記第１軸方向に沿って光学特性が変化する複数の第２調光領域を含み、前記第１調光領域と前記第２調光領域との対向位置によって、前記調光装置の調光状態が変化し、前記第１の調光部の前記第１の側には、前記所定の移動方向に非平行な傾斜面部が設けられている。
【０００７】
（２）本開示による調光基板は、対向する第１面及び第２面を有する基板と、当該基板の前記第１面上に積層された偏光層と、当該偏光層の上に積層された位相差層と、を備え、前記基板の前記第２面に、当該第２面とは非平行な傾斜面部が設けられている。
【０００８】
（３）本開示による別態様の調光基板は、対向する第１面及び第２面を有する基板と、当該基板の前記第１面上に積層された偏光層と、を備え、前記基板の前記第２面に、当該第２面とは非平行な傾斜面部が設けられている。
【０００９】
（４）本開示による調光装置の製造方法は、開口部を形成する筐体を用意することと、第１の調光基板と第２の調光基板とを用意することと、少なくとも第１の調光基板が筐体の中で所定の移動方向に移動可能なように、第１の調光基板及び第２の調光基板を前記筐体に収容することと、第１の調光基板の面に、ユーザが指を引っ掛けることができる引っ掛け部を設けることと、を含む。ここで、第１の調光基板は、第１軸方向に沿って光学特性が変化する複数の第１調光領域を含み、第２の調光基板は、第１軸方向に沿って光学特性が変化する複数の第２調光領域を含んでいる。
【００１０】
（５）本開示による調光装置の製造方法は、開口部を形成する筐体を用意することと、ユーザが指を引っ掛けることができる引っ掛け部を有する第１の調光基板と、第２の調光基板と、を用意することと、少なくとも第１の調光基板が筐体の中で所定の移動方向に移動可能なように、第１の調光基板及び第２の調光基板を筐体に収容することと、を含む。ここで、第１の調光基板は、第１軸方向に沿って光学特性が変化する複数の第１調光領域を含み、第２の調光基板は、第１軸方向に沿って光学特性が変化する複数の第２調光領域を含んでいる。
【００１１】
（６）本開示に関連する更なる特徴は、本明細書の記述、添付図面から明らかになる。また、本開示の態様は、要素及び多様な要素の組み合わせ及び以降の詳細な記述と添付される特許請求の範囲の様態により達成され実現される。
本明細書の記述は典型的な例示に過ぎず、本開示の特許請求の範囲又は適用例を如何なる意味に於いても限定するものではないことを理解する必要がある。
【発明の効果】
【００１２】
本開示によれば、調光装置の窓面に汚れが発生するのを抑え、かつ調光基板同士が接触することにより形成されるキズを防止することが可能となる。
【図面の簡単な説明】
【００１３】
【図１】本開示の実施形態による調光装置１の全体構成を示す図である。図１Ａは、光を透過した状態を示している。図１Ｂは、光を遮断した状態を示している。図１Ｃは、調光装置１を構成する調光基板１１を模式的に示している。図１Ｄは、筐体１０内における調光基板１１の配置状態を示している。
【図２】本開示の実施形態による調光装置１に収容されている第１の調光基板１１−１及び第２の調光基板１１−２の概略断面を示す図である。
【図３】図２の詳細断面を示す図である。
【図４】第１位相差層３３の構成例を示す平面図である。
【図５】第１の調光基板１１−１の第１位相差層３３と第２の調光基板１１−２の第２位相差層４３との重なり状態に応じて光の透過率が変化する機能を説明するための断面図である。
【図６】階調タイプの調光基板１１の構成例を示す概略断面図である。
【図７】階調タイプの調光装置１における光透過率の変化を説明するための図である。
【図８】パターニングされた偏光層で調光機能を実現する第１及び第２の調光基板の構成例を示す概略断面図である。
【図９】保護層を備えた調光基板の構成例を示す概略断面図である。
【図１０】取っ手部を設けた調光基板１１の構成例を示す図である。
【図１１】取っ手部１２を設ける調光基板１１上の位置を説明するための図である。
【図１２】取っ手部１２の別の取り付け形態を示す図である。
【図１３】調光基板面に設けられる取っ手部１２の様々な形状を示す図である。
【図１４】取っ手部１２と筐体１０との関係を説明するための、調光装置１の部分的断面を示す図である。
【図１５】筺体１０の案内レールに第１の調光基板１１−１及び第２の調光基板１１−２を収容する様子を示す図である。
【図１６】図１５に示す調光装置１のＡ−Ａ断面であって、第１の調光基板１１−１と第２の調光基板１１−２との間にギャップ構成手段を設けた例を示す図である。
【図１７】本開示の第２の実施形態による第１の調光基板１１−１の構成を説明するための図である。
【図１８】第３の実施形態による調光装置１の構成例を示す図である
【図１９】規制突出部１８１及び突出量調整機構１８２の詳細構成例を示す図である。
【図２０】本開示の実施形態による調光部材の構成例を示す図である。
【発明を実施するための形態】
【００１４】
本開示の一実施形態は、調光装置の窓面の汚れを抑えるとともに、調光装置に収容される複数の調光部同士が接触することにより形成されるキズを防止するために、ユーザが指等を引っ掛けることができる引っ掛け部を窓面に設けた、調光装置に関する。複数の調光部の少なくとも１つは、調光装置の筐体内を所定の移動方向に移動できるように、調光装置の筐体内に収容されている。複数の調光部の少なくとも１つは、所定の移動方向に平行な線分と非平行な傾斜面部を引っ掛け部として有することにより、ユーザが指等を引っ掛けることが可能となる。以下の多数の実施形態において、引っ掛け部の例として、取っ手部、凹部等が開示される。
【００１５】
以下、添付図面を参照して本開示の実施形態について説明する。添付図面では、機能的に同じ要素は同じ番号で表示される場合もある。なお、添付図面は本開示の原理に則った具体的な実施形態と実装例を示しているが、これらは本開示の理解のためのものであり、決して本開示を限定的に解釈するために用いられるものではない。
【００１６】
なお、本明細書等において、「板」、「シート」、「フィルム」の用語は、呼称の違いのみに基づいて、互いから区別されるものではない。例えば、「板」は、シートやフィルムと呼ばれ得るような部材も含む概念である。したがって、一例として、「調光基板」は、「調光シート」や「調光フィルム」と呼ばれる部材と呼称の違いのみにおいて区別され得ない。
【００１７】
また、本明細書等において用いる、形状や幾何学的条件並びにそれらの程度を特定する、例えば、「平行」、「直交」、「垂直」、「同一」等の用語や長さや角度の値等については、厳密な意味に縛られることなく、同様の機能を期待し得る程度の範囲を含めて解釈されるべきである。
【００１８】
本明細書等において「〜」を用いて表される数値範囲は、「〜」の前後に記載される数値のそれぞれを下限値及び上限値として含む範囲であることを意味する。
【００１９】
本実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【００２０】
（Ａ）第１の実施形態
第１の実施形態は、調光部材が複数の調光基板によって構成され、複数の調光基板によって複数の調光部が提供される調光装置に関する。より具体的には、第１の実施形態は、複数の調光基板が筐体に収容され、複数の調光基板の少なくとも１つに取っ手部を設けてスライド移動可能にした調光装置に関する。
【００２１】
＜調光装置の全体構成＞
図１は、本開示の実施形態による調光装置１の全体構成を示す図である。図１Ａは、光を透過した状態を示している。図１Ｂは、光を遮断した状態を示している。図１Ｃは、調光装置１を構成する調光基板１１を模式的に示した図である。図１Ｄは、筐体１０内における調光基板１１の配置状態を示している。
【００２２】
調光装置１は、筺体１０と、筺体１０に収容された複数の調光基板１１と、取っ手部１２と、を備えている。本実施形態では、例えば、２枚の調光基板１１のうち、少なくとも１枚の調光基板１１がスライド移動できるように筐体１０内に収められている。以下では、第１の側に配置された一方の調光基板を第１の調光基板１１−１、第１の側に対向する第２の側に配置されたもう一方の調光基板を第２の調光基板１１−２とする。
【００２３】
図１Ａ及びＢで示されるように、取っ手部１２は、調光装置１の開口部１０ａ（窓部ともいう）に位置する２枚の調光基板１１のうち、スライド移動可能な第１の調光基板１１−１の第１の側に配置される。取っ手部１２は、例えば、第１の調光基板１１−１の表面に取り付けられている。例えば、開口部が明状態（光透過状態）のときは、取っ手部１２は、筐体１０の内枠右端部１０１に接している（図１Ａ参照）。一方、開口部１０ａが暗状態（遮光状態）のときは、取っ手部１２は、筐体１０の内枠右端部１０１から離れた位置となっている（図１Ｂ参照）。なお、取っ手部１２の位置と開口部１０ａの明暗との関係は、図１Ａ及びＢで示される場合と逆であっても良いし、これらに限らない。なお、明状態（光透過状態）とは光の透過率が最大の状態を指し、一方、暗状態（遮光状態）とは光の透過率が最小の状態を指す。
【００２４】
図１Ｃを参照すると、本実施形態では、第１の調光基板１１−１及び第２の調光基板１１−２は、互いに少なくとも部分的に対面しており、例えば、互いに平行に配置されている。調光装置１では、少なくとも１枚の調光基板１１が所定の移動方向（例えば、図におけるＸ方向）に移動することにより、第１の調光基板１１−１及び第２の調光基板１１−２の両方を透過する光の透過率が、第１の調光基板１１−１及び第２の調光基板１１−２の相対位置に応じて変化する。これにより、調光装置１は、透過光の光量を調整し、遮光と透過の切り換えができるように構成されている。なお、遮光と透過が切り替えられる領域は第１の調光基板１１−１及び第２の調光基板１１−２の全領域でなくても良く、一部の領域であっても良い。つまり、少なくとも１枚の調光基板１１が所定の移動方向（例えば、図におけるＸ方向）に移動することにより、調光基板１１の全面の調光状態が変化する必要は必ずしもなく、一部の領域の調光状態が変化するように構成することも可能である。
【００２５】
図１Ｄを参照すると、第１の調光基板１１−１の大きさと第２の調光基板１１−２の大きさとは異なっている。例えば、第２の調光基板１１−２を固定とする場合、スライド移動可能な第１の調光基板１１−１は、第２の調光基板１１−２よりもスライド移動方向（Ｘ方向）の長さが短く構成されている。つまり、スライド移動可能な第１の調光基板１１−１は、短い長さの分だけ筐体１０内をスライド移動できるようになっている。これにより、調光装置の大型化を抑えつつ、開口部の面積を大きくとることができる。本実施形態では、２枚の調光基板１１−１及び１１−２を筐体１０内に収容しているが、３枚以上の調光基板を筐体１０内に収容するようにしても良い。
【００２６】
また、図１Ｄに示されるように、各調光基板１１−１及び１１−２の上端部及び／又は下端部の少なくとも一部には、各調光基板１１−１及び１１−２のすべりを向上させたり、或いは低下させたりするためのテープ２０が貼り付けられている。当該テープ２０は、例えば、アルミ箔やフッ素系樹脂等、摩擦が少ないもので構成されている。このため、テープ２０を各調光基板１１−１及び１１−２に貼り付けた場合、第１の調光基板１１−１のスライド移動が非常にスムーズとなる。各調光基板１１−１及び１１−２のすべりを低下させるテープとしては、ウレタンゴム等で構成された摩擦が大きいテープが用いられる。このため、テープ２０を各調光基板１１−１及び１１−２に貼り付けた場合、第１の調光基板１１−１が軽量であってもスライド移動の応答性を制御できる。また、テープ２０を各調光基板１１−１及び１１−２に貼り付けると、第１の調光基板１１−１と第２の調光基板１１−２との間にわずかなギャップを形成することが可能となる。従って、第１の調光基板１１−１をスライド移動させたときに各調光基板１１−１及び１１−２が擦れることによってキズが各調光基板１１−１及び１１−２の開口部に形成されるのを防止することができる。
【００２７】
＜調光基板の断面構成＞
図２は、本開示の実施形態による調光装置１に収容されている第１の調光基板１１−１及び第２の調光基板１１−２の概略断面を示す図である。
第１の調光基板１１−１と第２の調光基板１１−２とは、互いに密着していてもよいが、間隔Ｄを開けて筐体１０内に配置されていてもよい。当該間隔Ｄは、上述のように、テープ２０によって形成されるものであっても良いし、スペーサなどによって形成されるものであっても良い。間隔Ｄの値は、例えば、０．２ｍｍ以上２．０ｍｍ以下としてもよい。間隔Ｄが上記下限未満であると調光基板同士が擦れて傷が発生する虞があり、間隔Ｄが上記上限より大きいと調光装置１を斜視したときに光漏れを感じやすくなる虞がある。また、第１の調光基板１１−１は、第１軸方向Ｘに沿って光学特性が変化する複数の第１調光領域１１１を含んでいる。また、第２の調光基板１１−２は、第１軸方向Ｘに沿って光学特性が変化する複数の第２調光領域１１２を含んでいる。第１調光領域１１１及び第２調光領域１１２は共に、一例として、同じ幅を有している。ここで、光学特性が変化するとは、例えば、光学軸（光軸とも呼ばれる）、位相差、複屈折率の中の少なくとも１つが変化することを意味する。図面では、第１の調光基板１１−１及び第２の調光基板１１−２の相対移動する方向と、第１の調光基板１１−１及び第２の調光基板１１−２の光学特性が変化する方向とが一致して図示されているが、これに限定されず、互いに交差していてもよい。例えば、第１の調光基板１１−１及び第２の調光基板１１−２の相対移動する方向と、第１の調光基板１１−１及び第２の調光基板１１−２の光学特性が変化する方向とのなす角が、５°、１０°、１５°、２０°、２５°、３０°、３５°、４０°、４５°等の値を取ってもよい。なお、第１調光領域１１１及び第２調光領域１１２は、１つの領域分の幅で調光基板１１の１ピッチを構成しているものとする。つまり、第１調光領域１１１及び第２調光領域１１２における、後述の第１領域３４、第２領域３５、第３領域４４、及び第４領域４５のそれぞれがハーフピッチＷに相当する（図３参照）。
【００２８】
図３は、図２の詳細断面を示す図である。第１の調光基板１１−１は、第１基板３１と、第１偏光層３２と、第１位相差層３３と、を備える。具体的には、第１基板３１上に、第１偏光層３２及び第１位相差層３３が当該順で積層されている。第２の調光基板１１−２は、第２基板４１と、第２偏光層４２と、第２位相差層４３と、を備える。具体的には、第２基板４１上に、第２偏光層４２及び第２位相差層４３が当該順で積層されている。第１の調光基板１１−１及び第２の調光基板１１−２は、第１位相差層３３と第２位相差層４３とが対面するように、調光装置１に収容される。
【００２９】
第１基板３１は、第１偏光層３２及び第１位相差層３３を支持するための支持体である。第１基板３１の構成材料としては、第１偏光層３２及び第１位相差層３３を支持することができ、高い光透過性を有するものであれば特に限定されない。例えば、第１基板３１の構成材料としては、ガラス等の無機材料、ポリエチレンテレフタレート等のポリエステル系樹脂、アクリル系樹脂、ポリカーボネート樹脂、エポキシ樹脂、シリコン樹脂等の樹脂材料等が挙げられる。なお、第２基板４１は、第１基板３１と同一の構成を採用することが可能である。
【００３０】
第１偏光層３２と第２偏光層４２は、一方の直線偏光成分の光を高い透過率で透過させるとともに、一方の直線偏光成分と直交する方向に振動する他方の直線偏光成分の光を吸収する機能を有している。本実施形態において、第１偏光層３２と第２偏光層４２とは、その透過軸の向きが互いに非平行となっている。第１偏光層３２及び第２偏光層４２は、それぞれの透過軸が互いに直交するようにして、すなわちクロスニコル状態（直交ニコルとも呼ぶ）で配置されている。第１偏光層３２及び第２偏光層４２として、ポリビニルアルコールにヨウ素や二色性色素を吸着させてなる偏光層やワイヤーグリッド偏光子と称される偏光層を用いることができる。
【００３１】
第１位相差層３３及び第２位相差層４３は、例えばλ／４板で構成され、透過光の偏光状態を制御可能となっている。第１位相差層３３の第１調光領域１１１は、透過光の偏光状態に互いに異なる作用を及ぼす第１領域３４及び第２領域３５を含んでいる。第１位相差層３３は、第１領域３４と第２領域３５との間で、異なる位相変調を透過光に生じさせる。別の言い方をすれば、第１領域３４の面内遅相軸方向と第２領域３５の面内遅相軸方向とが異なる。具体的には、第１領域３４及び第２領域３５はそれぞれ、例えば、リタデーションがλ／４の位相差層から構成されている。第１位相差層３３は、第１領域３４を透過する光に対して「λ／４」の位相変調を引き起こし、第２領域３５を透過する光に対して「−λ／４」の位相変調を引き起こす。
【００３２】
第２位相差層４３は、例えば、第１位相差層３３と同様に構成される。すなわち、第２位相差層４３の第２調光領域１１２は、透過光の偏光状態に互いに異なる作用を及ぼす第３領域４４及び第４領域４５を含んでいる。第２位相差層４３は、第３領域４４と第４領域４５との間で、異なる位相変調を透過光に生じさせる。別の言い方をすれば、第３領域４４の面内遅相軸方向と第４領域４５の面内遅相軸方向とが異なる。具体的には、第３領域４４及び第４領域４５はそれぞれ、リタデーションがλ／４の位相差層から構成されている。第２位相差層４３は、第３領域４４を透過する光に対して「λ／４」の位相変調を引き起こし、第４領域４５を透過する光に対して「−λ／４」の位相変調を引き起こす。
【００３３】
なお、第１位相差層３３及び第２位相差層４３は、例えば、光配向法やラビング法により形成された配向層上に液晶層を配向させることにより、作製することができる。例えば国際公開第２０１３／０５４６７３号パンフレット、特開２０１２−１３７７２５号公報、または特開２０１２−１９８５２２号公報等に開示された製法を用いて作製され得るため、ここではこれ以上詳細な説明を省略する。
【００３４】
＜位相差層の構成＞
図４は、第１位相差層３３の構成例を示す平面図である。第１位相差層３３の第１調光領域１１１は、第１軸方向Ｘに沿って交互に配置された複数の第１領域３４及び複数の第２領域３５によって構成される。本実施形態では、第１領域３４及び第２領域３５は、第１軸方向Ｘに沿って交互に隙間なく配置され、第１軸方向Ｘに沿って同一な幅Ｗを有している。したがって、第１領域３４及び第２領域３５は、各領域の幅の２倍「Ｗ×２」となる一定ピッチでそれぞれ第１軸方向Ｘに配列されている。また、各第１領域３４及び各第２領域３５は、第１軸方向Ｘに直交する第２軸方向Ｙに直線状に延びている。なお、図４から理解されるように、第１軸方向Ｘ及び第２軸方向Ｙは、第１の調光基板１１−１の板面に平行な面内において、互いに直交する二方向を規定する。
【００３５】
図示してはいないが、第２位相差層４３も、第１位相差層３３と同様に構成することができる。第２位相差層４３の第２調光領域１１２は、第１軸方向Ｘに沿って交互に配置された複数の第３領域４４及び複数の第４領域４５によって構成される。本実施形態では、第３領域４４及び第４領域４５は、第１軸方向Ｘに沿って交互に隙間なく配置され、第１軸方向Ｘに沿って同一な幅Ｗを有している。したがって、第３領域４４及び第４領域４５は、各領域の幅の２倍「Ｗ×２」となる一定ピッチでそれぞれ第１軸方向Ｘに配列されている。また、各第３領域４４及び各第４領域４５は、第１軸方向Ｘに直交する第２軸方向Ｙに直線状に延びている。
【００３６】
なお、第１調光領域１１１及び第２調光領域１１２の形状としては、特に限定されないが、例えば、短冊形状、三角形、正方形、菱形、六角形等の多角形が挙げられる。また各調光領域の配列のパターンとしては、ストライプ状、千鳥状等が挙げられる。本実施形態においては、第１調光領域１１１及び第２調光領域１１２が短冊形状であり、ストライプ状のパターンで配列されていることが好ましい。
【００３７】
上述の構成によれば、第１の調光基板１１−１を第２の調光基板１１−２に対して少なくともハーフピッチ分の幅Ｗだけ移動させることにより、光の透過状態と遮光状態とを切り換えることができる。透過状態と遮光状態との明瞭な切換えを実現するためには、第１位相差層３３の第１領域３４及び第２領域３５と第２位相差層４３の第３領域４４及び第４領域４５とが、ずれることなく重なることが望ましい。しかし、実際には、第１位相差層３３の第１領域３４及び第２領域３５と第２位相差層４３の第３領域４４及び第４領域４５とがわずかにずれる場合もあり得る。ずれが生じた場合、透過状態では黒の細い線がストライプ状に発現し、遮光状態では白の細い線がストライプ状に発現する。このような事情を考慮すると、幅Ｗが小さすぎると、ずれが生じた場合に遮光領域に対する透過領域の割合が大きくなってしまうため、外観性が良くない。一方で、幅Ｗが大きすぎると、第２の調光基板１１−２の移動量が大きくなり、第１の調光基板１１−１及び第２の調光基板１１−２を支持する支持構造が大きくなるだけでなく、移動中に第２の調光基板１１−２が撓むことにより第１の調光基板１１−１との接触による傷の発生の可能性も高くなる。したがって、幅Ｗは、好ましくは３ｍｍ以上３０ｍｍ以下、より好ましくは５ｍｍ以上２０ｍｍ以下である。なお、最も好ましい例として、幅Ｗは、１０ｍｍ以上１５ｍｍ以下である。
【００３８】
＜光の透過及び遮断（調光状態）の制御＞
図５は、第１の調光基板１１−１の第１位相差層３３と第２の調光基板１１−２の第２位相差層４３との重なり状態に応じて光の透過率が変化する機能を説明するための断面図である。
【００３９】
図５Ａに示されるように、第１位相差層３３の第１領域３４と第２位相差層４３の第３領域４４とが重なり、第１位相差層３３の第２領域３５と第２位相差層４３の第４領域４５とが重なっている。この場合、第２偏光層４２を透過した偏光成分の光は、第２位相差層４３の第３領域４４を透過するとλ／４の位相変調が起き、第２位相差層４３の第４領域４５を透過すると―λ／４の位相変調が起きる。そして、第２位相差層４３の第３領域４４を透過した光は、第１位相差層３３の第１領域３４を透過するとλ／４の位相変調が起きる。また、第２位相差層４３の第４領域４５を透過した光は、第１位相差層３３の第２領域３５を透過すると―λ／４の位相変調が起きる。つまり、第２偏光層４２を透過した光は、第１位相差層３３を透過後には±λ／２の位相変調が起き、その振動方向が±９０°だけ回転した光となって第１偏光層３２に入射することになる。図５Ａに示されるように、第２位相差層４３及び第１位相差層３３の両方を透過した光は、一方の偏光成分とは振動方向が直交する他方の偏光成分の光となっているため、第１偏光層３２を透過することができる。
【００４０】
一方、図５Ｂでは、第１位相差層３３の第１領域３４と第２位相差層４３の第４領域４５とが重なり、第１位相差層３３の第２領域３５と第２位相差層４３の第３領域４４とが重なっている。この場合、第２偏光層４２を透過した偏光成分の光は、第２位相差層４３の第４領域４５を透過すると―λ／４の位相変調が起き、第２位相差層４３の第３領域４４を透過するとλ／４の位相変調が起きる。そして、第２位相差層４３の第４領域４５を透過した光は、第１位相差層３３の第１領域３４を透過するとλ／４の位相変調が起き、また、第２位相差層４３の第３領域４４を透過した光は、第１位相差層３３の第２領域３５を透過すると―λ／４の位相変調が起きる。つまり、第２位相差層４３及び第１位相差層３３の両方を透過した後の光は、第２位相差層４３を透過する前の振動方向を維持する。したがって、図５Ｂに示されるように、第２位相差層４３及び第１位相差層３３の両方を透過した光は、一方の偏光成分の光のままであり、第１偏光層３２で吸収され、第１偏光層３２を透過することはできない。図５Ｂの場合、２枚の位相領域透過後の位相変調は０となり、振動方向は変わらない。
【００４１】
以上のように、調光装置１では、第１の調光基板１１−１と第２の調光基板１１−２との相対位置に応じて、第１領域３４と第３領域４４及び第４領域４５との重なる範囲が変化すると共に、第２領域３５と第３領域４４及び第４領域４５との重なる範囲が変化する。これにより、調光装置１においては、第１の調光基板１１−１を調光領域のハーフピッチＷの範囲内でスライド移動させて第２の調光基板１１−２との相対位置を変化させることにより、第１の調光基板１１−１及び第２の調光基板１１−２の両方を透過する光に対する、遮光する範囲と透過する範囲とを連続的に変化させることが可能となる。つまり、調光装置１の調光状態を連続的に変化させることが可能となる。
【００４２】
なお、上述した第１の調光基板１１−１及び第２の調光基板１１−２の構成は、一例に過ぎず種々の変更が可能である。以上の例に限られることなく、第１の調光基板１１−１と第２の調光基板１１−２との相対位置に応じて、調光装置１に入射する光の透過及び遮光を制御することができるものであればよい。また、本開示の実施形態では、第１偏光層３２及び第２偏光層４２がクロスニコル状態で配置される場合について説明したが、パラレルニコル状態で配置される場合には、第１位相差層３３の各領域と第２位相差層４３の各領域の対応関係は上記と逆の関係となる。
【００４３】
＜階調タイプの調光基板の構成及び機能＞ 
図６は、階調タイプの調光基板１１の構成例を示す概略断面図である。なお、図６では、第１の調光基板１１−１に対応する構成が示されている。なお、本明細書等では、階調タイプの調光装置とは、光の透過率が異なる状態を多階調で作り出すことが可能な調光装置をさす。
図６に示されるように、階調タイプの調光基板１１は、第１基板３１上に、第１偏光層３２及び第１位相差層６１が当該順で積層されて構成されている。図５に示す２値タイプの調光基板１１では、第１位相差層３３としてλ／４板を用いているが、階調タイプの調光基板１１では、第１位相差層６１としてλ／２板を用いる。そして、各第１調光領域１１１の第１位相差層６１では、透過光に生じさせる位相変調の変化量（遅相軸ともいう）が段階的に０°〜１８０°まで変化している。つまり、複数の第１調光領域１１１の各々において、面内遅相軸方向が第１軸方向Ｘに沿って段階的に変化している。また、第２調光領域１１２も同様な構成を備えている。
【００４４】
上述のように、調光装置１では、第１の調光基板１１−１と第２の調光基板１１−２との相対位置に応じて、第１調光領域１１１と第２調光領域１１２との重なる位置が変化する。これにより、調光装置１に入射してきた光の透過率を徐々に変化させることが可能となる。つまり、当該調光タイプの調光装置１では、第１の調光基板１１−１と第２の調光基板１１−２の相対位置に応じて、徐々に遮光状態になる（光の透過率が徐々に小さくなる）、又は、徐々に透過状態になる（光の透過率が徐々に大きくなる）。
【００４５】
図７は、階調タイプの調光装置１における光透過率（調光状態）の変化を説明するための図である。階調タイプの調光装置１では、第２の調光基板１１−２を固定して第１の調光基板１１−１をＸ方向にスライド移動させると、光の透過率が変化する。図７Ａは、光の透過率が最小で、最も暗い状態のときの第１の調光基板１１−１及び第２の調光基板１１−２の位置関係を示している。図７Ｃは、光の透過率が最大で、最も明るい状態のときの第１の調光基板１１−１及び第２の調光基板１１−２の位置関係を示している。図７Ｂは、光の透過率が中間のときの第１の調光基板１１−１及び第２の調光基板１１−２の位置関係を示している。なお、図７では、単純化のため偏光層と位相差層のみ示されている。また、各位相差層における遅相軸は、０°〜１８０°のうち一部のみ示されている。ここでは単位遅相軸を２２．５°としているが、これに限られず、任意に設定することが可能である。
【００４６】
（i）光の透過率が最小の状態
例えば、図７Ａに示すように、第２位相差層７１の遅相軸０°、２２．５°、４５°、・・・の領域がそれぞれ、第１位相差層６１の遅相軸９０°、１１２．５°、１３５°、・・・の領域と対向している状態では、光の透過率が最小であり遮蔽状態、すなわち暗状態となる。
【００４７】
第２の調光板１１−２の第２偏光層４２を透過した偏光成分の光の振動方向は、第２位相差層７１の各領域を透過することによって、それぞれ０°、４５°、９０°・・・と回転する。そして、振動方向が０°の光が第１位相差層６１の遅相軸９０°の領域を通過すると、入射光の偏光軸と遅相軸のなす角度の２倍分、偏光角が回転し、その偏光角は入射光と遅相軸のなす角度の２倍分、つまり１８０°回転し、振動方向は１８０°となる。また、振動方向が４５°の光が第１位相差層６１の遅相軸１１２．５°の領域を通過すると、入射偏光角と遅相軸の関係より１３５°回転し、その振動方向は１８０°となる。さらに、振動方向が９０°の光が第１位相差層６１の遅相軸１３５°の領域を通過すると、入射偏光角と遅相軸の関係より９０°回転し、その振動方向も１８０°と変化する。このように、第１位相差層６１を透過した光の偏光方向は全て０°或いは１８０°となるため、第１偏光層３２の偏光方向と直交し、第１位相差層６１を透過した光は、第１偏光層３２によって遮断される。
【００４８】
このように、図７Ａに示された第１の調光板１１−１と第２の調光板１１−２との位置関係においては、第２の調光板１１−２に入射する光は、第１の調光板１１−１を透過せず、遮蔽状態となる。
【００４９】
（ii）光の透過率が中間値の状態
図７Ｂに示すように、例えば、第２位相差層７１の遅相軸０°、２２．５°、４５°、・・・の領域がそれぞれ、第１位相差層６１の遅相軸６７．５°、９０°、１１２．５°、・・・の領域と対向している状態では、光の透過率が中間値を取る。
【００５０】
第２の調光板１１−２の第２偏光層４２を透過した偏光成分の光の振動方向は、第２位相差層７１の各領域を透過することによって、それぞれ０°、４５°、９０°・・・と回転する。そして、振動方向が０°の光が第１位相差層６１の遅相軸６７．５°の領域を通過すると、入射偏光角と遅相軸の関係より１３５°回転し、その振動方向は１３５°となる。また、振動方向が４５°の光が第１位相差層６１の遅相軸９０°の領域を通過すると、入射偏光角と遅相軸の関係より９０°回転し、その振動方向は１３５°となる。さらに、振動方向が９０°の光が第１位相差層６１の遅相軸１１２．５°の領域を通過すると、入射偏光角と遅相軸の関係より４５°回転し、その振動方向も１３５°となる。このように、第１位相差層６１を透過した光の偏光方向は全て１３５°となるため、第１位相差層６１を透過した光のうち第１偏光層３２の偏光方向と同じ成分の光のみが第１偏光層３２を透過することとなる。
【００５１】
このように、図７Ｂに示された第１の調光板１１−１と第２の調光板１１−２との位置関係においては、第２の調光板１１−２に入射し、第２偏光層４２を透過した光の一部のみが第１の調光板１１−１を透過し、透過状態すなわち明状態と、遮蔽状態すなわち暗状態との中間の中間状態となる。
【００５２】
（iii）光の透過率が最大の状態
図７Ｃに示されるように、例えば、第２位相差層７１の遅相軸０°、２２．５°、４５°、６７．５°、９０°・・・の領域がそれぞれ、第１位相差層６１の遅相軸４５°、６７．５°、９０°、１１２．５°、１３５°、・・・の領域と対向している状態では、光の透過率が最大で透過状態、すなわち明状態となる。
【００５３】
第２の調光板１１−２の第２偏光層４２を透過した偏光成分の光の振動方向は、第２位相差層７１の各領域を透過することによって、それぞれ０°、４５°、９０°、１３５°、１８０°、・・・と回転する。そして、振動方向が０°の光が第１位相差層６１の遅相軸４５°の領域を通過すると、入射偏光角と遅相軸の関係より９０°回転し、その振動方向は９０°となる。振動方向が４５°の光が第１位相差層６１の遅相軸６７．５°の領域を通過すると、入射偏光角と遅相軸の関係より４５°回転し、その振動方向も９０°となる。振動方向が９０°の光が第１位相差層６１の遅相軸９０°の領域を通過すると、入射偏光角と遅相軸の関係より０°回転し、その振動方向も９０°となる。さらに、振動方向が１３５°の光が第１位相差層６１の遅相軸１１２．５°の領域を通過すると、入射偏光角と遅相軸の関係より−４５°回転し、その振動方向も９０°となる。振動方向が１８０°の光が第１位相差層６１の遅相軸１３５°の領域を通過すると、入射偏光角と遅相軸の関係より−９０°回転し、その振動方向は９０°となる。
【００５４】
このように、第１位相差層６１を透過した光の偏光方向は全て９０°或いは２７０°となるため、第１偏光層３２の偏光方向と同一となり、第１位相差層６１を透過した光は、第１偏光層３２をそのまま透過することになる。
【００５５】
このように、図７Ｃに示された第１の調光板１１−１と第２の調光板１１−２との位置関係においては、第２の調光板１１−２に入射し、第２偏光層４２を透過した光は、全て第１の調光板１１−１を透過し、透過状態となる。
【００５６】
＜パターニングされた偏光層で調光機能を実現する調光基板の構成＞
図８は、パターニングされた偏光層で調光機能を実現する第１及び第２の調光基板の構成例を示す概略断面図である。第１の調光基板１１−１は、第１基板３１と、第１基板３１上に積層された第１偏光層８１と、を備えている。第２の調光基板１１−２は、第２基板４１と、第２基板４１上に積層された第２偏光層８２と、を備えている。図３で示される構成とは異なり、図８における第１の調光基板１１−１及び第２の調光基板１１−２では、パターニングされた偏光層で調光機能を実現しようとしている。
【００５７】
第１の調光基板１１−１において、第１偏光層８１が、第１軸方向Ｘに沿って偏光軸（透過軸）が異なる複数の第１調光領域１１１を備える。偏光層８１の第１調光領域１１１は、透過光の偏光状態に互いに異なる作用を及ぼす第１領域３４及び第２領域３５を含んでいる。これら第１領域３４及び第２領域３５は、偏光軸が互いに直交するように構成されている。
【００５８】
第２の調光基板１１−２においても、第２偏光層８２が、第１軸方向Ｘに沿って偏光軸が異なる複数の第２調光領域１１２を備える。第２偏光層８２の第２調光領域１１２は、透過光の偏光状態に互いに異なる作用を及ぼす第３領域４４及び第４領域４５を含んでいる。第３領域４４及び第４領域４５は、偏光軸が互いに直交するように構成されている。
【００５９】
図８に示される第１の調光基板１１−１及び第２の調光基板１１−２を用いる場合、調光装置１では、第１の調光基板１１−１と第２の調光基板１１−２との相対位置に応じて、第１偏光層８１の第１領域３４と第２偏光層８２の第３領域４４及び第４領域４５との重なる範囲が変化すると共に、第１偏光層８１の第２領域３５と第２偏光層８２の第３領域４４及び第４領域４５との重なる範囲が変化する。これにより、調光装置１は、第１の調光基板１１−１と第２の調光基板１１−２との相対位置に応じて、光の透過範囲及び遮光範囲を連続的に変化させることが可能となる。
【００６０】
＜保護層を備えた調光基板の構成＞
図９は、保護層を備えた調光基板の構成例を示す概略断面図である。第１の調光基板１１−１は、第１基板３１と、第１基板３１上に積層された、第１偏光層３２と、第１位相差層３３と、第１表面保護層９１と、を備えている。第１表面保護層９１は、第１位相差層３３の表面を保護する。第２の調光基板１１−２も、第１の調光基板１１−１と同様に、第２基板４１と、第２基板４１上に積層された、第２偏光層４２と、第２位相差層４３と、第２表面保護層９２と、を備えている。第２表面保護層９２は、第２位相差層４３の表面を保護する。第１表面保護層９１及び第２表面保護層９２として、例えば、ハードコートフィルム等を用いることができる。
【００６１】
なお、第１表面保護層９１及び第２表面保護層９２は、図８に示される調光基板にも適用可能である。すなわち、第１偏光層８１の表面に第１表面保護層９１が積層され、第２偏光層８２の表面に第２表面保護層９２が積層されてもよい。
【００６２】
＜取っ手部を設けた調光基板＞
図１０は、取っ手部を設けた調光基板１１の構成例を示す図である。取っ手部１２を調光基板１１に設ける第１の形態として、図１０Ａに示されるように、取っ手部１２を調光基板１１の窓面（調光面ともいう）に設けることができる。また、第２の形態として、図１０Ｂに示されるように、サッシ枠が取り付けられた調光基板１１において、取っ手部１２を調光面外であるサッシ枠に設けることができる。取っ手部１２の側面は、所定の移動方向に非平行な傾斜面部１２ａ、１２ｂを有している。図１０Ａ又は図１０Ｂに示される取っ手部１２の側面は、所定の移動方向に直交している。図１０Ａ又は図１０Ｂに示される調光基板１１を第１の調光基板１１−１とし、図１０Ａ又は図１０Ｂに示される調光基板１１と同様の構成を有するが取っ手部１２が設けられていない調光基板を第２の調光基板１１−２として、これら２つの調光基板を筐体１０に収容することにより、図１に示す調光装置１が完成する。なお、後述するように、取っ手部１２は、調光精度を出すために、調光基板を筐体１０に収容した後に取り付けても良い。
【００６３】
取っ手部１２は金属、ガラス、或いは樹脂を所望の形状に加工することにより作製される。そして、作製された取っ手部１２を調光基板１１の窓面（調光面）或いはサッシ枠の表面に貼り付けることにより、図１０に示される調光基板１１が完成する。
【００６４】
図１０Ａに示されるように、取っ手部１２を調光基板１１の調光面に取り付ける場合、テープや接着剤等の接着層１２ｃによって取っ手部１２を調光基板１１の調光面に貼合して固定する。透明なガラスや樹脂で取っ手部１２を作製する場合、例えば、透明な接着層１２ｃを介して取っ手部１２を調光基板１１の調光面に貼合するのが好ましい。取っ手部１２及び接着層１２ｃが透明であるため、筐体の開口部に位置する調光基板１１の調光機能を妨げる程度が低いからである。なお、取っ手部１２は、テープや接着剤により後付けするようにしても良いが、調光基板１１の一部として一体成形で構成しても良い。
【００６５】
図１０Ｂに示されるように、取っ手部１２を調光基板１１のサッシ枠に取り付ける場合、必ずしも透明材料で取っ手部１２を構成する必要はなく、木、プラスチック、金属等の透明ではない材料を用いたとしても調光基板１１の調光面における調光機能を妨げることはない。ただし、取っ手部１２をサッシ枠に取り付ける場合には調光基板１１の調光面の面積は、調光基板１１の大きさが同一であるという条件下では、調光基板１１の調光面に直接取っ手部１２を設けたときの調光面の面積よりも小さい。取っ手部１２をサッシ枠に取り付ける場合、接着剤やテープを用いても良いし、ネジ止めしても良い。なお、取っ手部１２は、テープや接着剤によりサッシ枠に後付けするようにしても良いが、調光基板１１のサッシ枠の一部として一体成形で構成しても良い。また、取っ手部１２のサイズは、指等の引っ掛け易さ、取っ手部１２の取り付け強度、及び安全性を考慮すると、例えば、調光装置１の窓面の縦の長さの１０％〜５０％程度の長さであることが好ましい。
【００６６】
図１１は、取っ手部１２を設ける調光基板１１上の位置を説明するための図である。図１１では、上下に２つの図が示されているが、下が調光装置１の筐体１０に収容された第１の調光基板１１−１を示し、上が同じ調光装置１の同じ筐体１０に収容された第２の調光基板１１−２を示している。
【００６７】
調光装置１では、上述のように、第１の調光基板１１−１は筐体１０内をＸ方向にスライド移動可能なように収容されているが、第２の調光基板１１−２が筐体１０に固定されている。また、第１の調光基板１１−１は、例えば、第２の調光基板１１−２よりもハーフピッチＷ分の長さだけ小さく構成されている。また、筺体１０内部の筐体内左端部１０２を基準位置、つまり第１の調光基板１１−１のスライド移動における原点位置としており、第１の調光基板１１−１は、取っ手部１２が無い状態では、当該基準位置から筐体１０内部の筐体内右端部１０３まで移動可能となっている。従って、取っ手部１２が無い状態では、第１の調光基板１１−１の移動可能距離は位相差層パターンのハーフピッチ幅Ｗよりも長く、Ｗ＋αとなってしまう。第１の調光基板１１−１を筐体内右端部１０３までスライド移動させてしまうと、第２の調光基板１１−２の位相差層のパターンとの位置ずれを生じさせてしまい、縦縞状の暗帯が調光装置１の開口部に形成されてしまう。そこで、本実施形態では、調光を明状態から暗状態、或いは暗状態から明状態への精度良く制御可能にするために、取っ手部１２を図１１に示す位置に取り付けるようにしている。取っ手部１２の具体的取り付け手順は、次の通りである。
【００６８】
（i）ステップ１
第１の調光基板１１−１及び第２の調光基板１１−２を筐体１０に収容し、第２の調光基板１１−２の左端部を基準位置である筐体内左端部１０２に合わせて固定する。このとき、第１の調光基板１１−１は、筺体１０内をＸ方向にスライド可能である。
【００６９】
（ii）ステップ２
第１の調光基板１１−１を基準位置に突き当てる。このとき、第１の調光基板１１−１の位相差層のパターンと第２の調光基板１１−２の位相差層のパターンとは整合しており、お互いの位相差層パターンに位置ずれが生じていない。お互いの位相差層パターンに位置ずれが生じていない場合、調光装置１の開口部は明状態（光透過状態）或いは暗状態（遮光状態）となっている。
【００７０】
（iii）ステップ３
第１の調光基板１１−１を位相差層パターンのハーフピッチＷ分だけスライド移動させ、調光の状態を第１の調光基板１１−１の左端が基準位置にあるときと反転させる。つまり、第１の調光基板１１−１が基準位置にあるときに明状態（光透過状態）であれば暗状態（遮光状態）に、第１の調光基板１１−１が基準位置にあるときに暗状態（遮光状態）であれば明状態（光透過状態）にする。
【００７１】
（iv）ステップ４
ステップ３で構成した状態を維持しながら、取っ手部１２の右端面１２１を筐体１０の内枠右端部１０１に合わせるようにして取っ手部１２を第１の調光基板１１−１の表面に貼合する。貼合する手段としては、上述のように、テープや接着剤、より詳しくは例えば透明エンボステープや光硬化性接着剤を用いることができる。また、第１の調光基板１１−１をスライド移動させたときに生じる取っ手部１２と筐体１０との衝突の衝撃を緩和するために、取っ手部１２の右端面１２１、或いは筐体１０の内枠右端部１０１に緩衝手段、例えば、弾性体であるゴムシートなどを貼り付けても良いし、取っ手部１２自体を、弾性を有する透明な材料、例えば、シリコン樹脂などで構成しても良い。取っ手部１２或いは筐体１０に緩衝手段を貼り付ける場合、緩衝手段の厚さを考慮して取っ手部１２の第１の調光基板１１−１の表面への貼合位置を決める必要があることに注意すべきである。
【００７２】
さらに、例えば、取っ手部１２を第１の調光基板１１−１に取り付けた後、第１の調光基板１１−１及び第２の調光基板１１−２を筐体１０から取り出し、調光装置１の外側面を構成する各基板の面にキズ防止用の保護シートを貼合したり、或いは保護材を塗布したりしても良い。そして、当該加工後の各基板を筐体１０内に再度収容して調光装置１の完成としても良い。
【００７３】
以上のようにして取っ手部１２を第１の調光基板１１−１に取り付けると、取っ手部１２自体がスライド移動を規制する手段となり、第１の調光基板１１−１のスライド移動距離を位相差層パターンのハーフピッチ幅Ｗの範囲内に収めることができる。よって、調光装置１において、第１の調光基板１１−１のスライド移動完了時における縦縞状の暗帯の生成を防止することができ、調光の精度を担保することができるようになる。
【００７４】
なお、第１の調光基板１１−１を固定し、第２の調光基板１１−２をスライド移動可能にする場合であっても、同様の手順によって取っ手部１２を第２の調光基板１１−２に取り付けることができる。この場合、第１の調光基板１１−１の方が第２の調光基板１１−２よりも大きく構成される。また、第１の調光基板１１−１と第２の調光基板１１−２の両方をスライド移動可能に構成しても良い。この場合、両調光基板を例えば同一サイズに構成し、上述した手順(i)〜(iv)に従って取っ手部１２を両調光基板のそれぞれに取り付ける。 ただし、この場合には、スライド幅は１ピッチ分の２Ｗとなるように構成することが望ましい。
【００７５】
図１２は、取っ手部１２の別の取り付け形態を示す図である。まず、図１２Ａに示されるように、取っ手部１２を筐体１０の内枠下端部１０４の近傍の調光基板面に取り付ける形態が考えられる。この場合、第１の調光基板１１−１が調光領域のハーフピッチ幅Ｗ分だけスライド移動可能なように、取っ手部１２の移動を規制するためのストッパ部１２０が 筐体１０の内枠下端部１０４に取り付けられている。この場合、ストッパ部１２０は、取っ手部１２との衝突による衝撃によって脱落しないように筐体１０にしっかりと固定する必要がある。また、この衝撃を緩和するために、上述同様、取っ手部１２の右端部１２２にゴム等の緩衝手段を貼り付けても良いし、シリコン樹脂等の弾性を有する透明な材料で取っ手部１２やストッパ部１２０自体を構成しても良い。
【００７６】
さらに、図１２Ｂに示されるように、調光装置１の筐体１０の上側枠体に小窓部１０５を設け、小窓部１０５から露出される調光基板の表面に取っ手部１２を取り付けるようにしても良い。この場合、第１の調光基板１１−１が位相差層パターンのハーフピッチ幅Ｗ分だけスライド移動可能なように、つまり、小窓部１０５の横幅長−取っ手部１２の横幅長の値がＷに等しくなるように、取っ手部１２及び小窓部１０５のサイズが決められる。例えば、取っ手部１２の横幅を位相差層パターンのハーフピッチ幅Ｗと同一にした場合、小窓部１０５の横幅は位相差層パターンのピッチ幅に相当するサイズとなる。また、取っ手部１２と小窓部１０５の端部との衝突による衝撃を緩和するために、上述同様、取っ手部１２の右端部１２２にゴム等の緩衝手段を貼り付けても良いし、シリコン樹脂等の弾性を有する透明な材料で取っ手部１２自体を構成しても良いし、小窓部１０５の内側にゴム等の緩衝手段を取り付けても良い。
【００７７】
＜取っ手部の形状＞
図１３は、調光基板に設けられる取っ手部１２の様々な形状を示す図である。図１３では、４種類の形状が示されているがこれに限られるものではなく、取っ手の役目を果たすのであれば任意の形状を採用することが可能である。
【００７８】
図１３Ａは、直方体をなす取っ手部１２を示している。取っ手部１２の少なくとも一つの側面は、傾斜面部を含む。当該直方体の各辺のサイズａ、ｂ、及びｃは、調光装置１の開口部のサイズに依存するが、例えば、各辺のサイズは、８ｍｍ、１２ｍｍ、及び５０ｍｍとすることができる。また、第１の調光基板１１−１に当該取っ手部１２を取り付けて当該第１の調光基板１１−１をスライド移動させると、当該取っ手部１２の右端面１２１が筐体１０の内枠右端部１０１に当たり接することになる。
【００７９】
図１３Ｂは、直方体に丸みのある窪みを設けた取っ手部１２を示している。取っ手部１２の少なくとも一つの側面は、傾斜面部を含む。例えば、ユーザの指等が右端面１２１に接触する場合、右端面１２１が傾斜面部を含む。また、例えば、ユーザの指等が窪み部１２１１に接触する場合、窪み部１２１１が傾斜面部を含む。当該窪み１２１１は、例えば、図１３Ａで示す直方体から４分の１円柱に近い形状の立体を刳り抜くことによって形成することができる。窪みのサイズは、横ａ２、高さｂ１、長さｃとすることができる。例えば、ａ１＋ａ２の長さはａに等しく、より具体的には、それぞれ６ｍｍ、２ｍｍ、ｂ１は６ｍｍとすることができる。当該窪み１２１１の丸みを帯びた部分が筐体１０の内枠右端部１０１に当たり接するように構成すれば、スライドさせたい方向からユーザの指等が傾斜面部に接触するのが容易になり、スライド時に調光基板同士が接触してしまう機会を減らすことができる。
【００８０】
図１３Ｃは、直方体に別の形状の窪みを設けた取っ手部１２を示している。取っ手部１２の少なくとも一つの側面は、傾斜面部を含む。例えば、ユーザの指等が右端面１２１に接触する場合、右端面１２１が傾斜面部を含む。また、例えば、ユーザの指等が窪み部１２１２に接触する場合、窪み部１２１２が傾斜面部を含む。当該窪み１２１２は、例えば、図１３Ａで示す直方体からサイズの小さい直方体を刳り抜くことによって形成することができる。窪みのサイズは、横ａ２、高さｂ１、長さｃとすることができる。例えば、ａ１＋ａ２の長さはａに等しくなっている。当該窪み１２１２の側面１２１３が筐体１０の内枠右端部１０１に当たり接するように構成すれば、スライドさせたい方向からユーザの指等が傾斜面部に接触するのが容易になり、スライド時に調光基板同士が接触してしまう機会を減らすことができる。
【００８１】
図１３Ｄは、直方体にさらに別の形状の窪み部を設けた取っ手部１２を示している。取っ手部１２の少なくとも一つの側面は、傾斜面部を含む。例えば、ユーザの指等が図の上方の右端面１２１に接触する場合、図の上方の右端面１２１が傾斜面部を含む。例えば、ユーザの指等が当該窪み１２１４に接触する場合、当該窪み部１２１４が傾斜面部を含む。当該窪み１２１４は、例えば、図１３Ａで示す直方体から半円柱に近い形状の立体を刳り抜くことによって形成することができる。窪みのサイズは、深さａ４、幅ｂ２、長さｃとすることができる。例えば、ａ３＋ａ４の長さはａに等しく、ｂ２＋２×ｂ３の長さはｂに等しく、より具体的には、ａ３、ａ４、ｂ２、ｂ３のサイズはそれぞれ、５ｍｍ、３ｍｍ、８ｍｍ、２ｍｍとすることができる。また、第１の調光基板１１−１に当該取っ手部１２を取り付けて当該第１の調光基板１１−１をスライド移動させると、図の下方の右端面１２１が筐体１０の内枠右端部１０１に当たり接することになる。このような構成によれば、スライドさせたい方向からユーザの指等が傾斜面部に接触するのが容易になり、スライド時に調光基板同士が接触してしまう機会を減らすことができる。
なお、取っ手部１２の右端面１２１の角や左端面１２３の角をＲ（ラウンド）形状にしても良い。これにより、角が取れたより安全な取っ手部１２を提供することができる。
【００８２】
取っ手部１２を形成する材料としては、例えば、ガラス、アクリル系樹脂、ポリカーボネート樹脂、金属、木、プラスチック、ゴムなどを採用することができる。ただし、光の透過率を高くすることを重視する場合には、ガラス、アクリル系樹脂を用いることが好ましい。この場合、調光装置１の調光機能を高めるため、例えば、取っ手部１２はそのものの透過率を８０％以上とすることが好ましい。また、取っ手部１２を含む調光基板の透過率を、２０％以上とすることが好ましい。このような構成にすることにより、明状態における外観美が維持される。耐熱性が要求される場所に調光装置１を設置する場合に、樹脂製の取っ手部１２を用いる場合には、材料としてアクリル系樹脂やポリカーボネート樹脂を採用することができる。
【００８３】
さらに、取っ手部１２に蓄光機能を持たせたい場合には、蓄光材料を取っ手部１２に塗布したり、取っ手部１２を形成する際に取っ手部１２の材料に蓄光材料を混ぜたりすればよい。蓄光材料としては、例えば、硫化亜鉛、アルミン酸ストロンチウム等を用いることができる。取っ手部１２が蓄光機能を持つことにより、暗い環境においても取っ手部１２の位置をユーザが容易に認識することができる。
【００８４】
＜取っ手部と筐体との関係＞
図１４は、取っ手部１２と筐体１０との関係を説明するための、調光装置１の部分的断面を示す図である。
取っ手部１２の高さに制限はないが、例えば、図１４Ａに示されるように、第１の調光基板１１−１に取り付けられた取っ手部１２は、その高さｈ１が、第１の調光基板１１−１の表面から筐体１０の厚さ方向（Ｚ方向）端面１０６までの高さｈ２よりも低くなるように構成されていてもよい。このように取っ手部１２の高さを筐体１０の高さよりも低くすることにより、物や人が取っ手部１２に接触する可能性を減少させ、接触により調光基板が不用意に移動することを抑制した調光装置１を提供することができる。
【００８５】
図１４Ｂに示されるように、取っ手部１２にはストッパとなる台座部１４１を設けても良い。台座部１４１のＸ方向における長さである幅は、取っ手部１２の幅よりも広くなっている。また、台座部１４１と取っ手部１２を合わせた高さは、筺体１０の高さｈ２よりも低いことが好ましい。
【００８６】
第１の調光基板１１−１が上述の基準位置にあるときには、台座部１４１の端面１４１１と筐体１０の内枠右端部１０１との距離は、位相差層パターンのハーフピッチＷに等しくなっている。このとき、調光装置１の窓部は、光透過（明）状態、或いは遮光（暗）状態となっている。そして、第１の調光基板１１−１をスライド移動させ、ストッパとして機能する台座部１４１の端面１４１１が筐体１０の内枠右端部１０１に接触すると、調光装置１の窓部は、逆に遮光状態、或いは光透過状態となる。
【００８７】
また、台座部１４１の端面１４１１が筐体１０の内枠右端部１０１に当たり接しているとき、取っ手部１２と当該内枠右端部１０１との間にギャップＧが形成される。当該ギャップＧは、例えば、人間の指が入るくらいの幅を有することが好ましい。例えば、ギャップ Ｇを５ｍｍ以上５０ｍｍ以下とするとよい。ギャップＧを５ｍｍ以上とすることにより、台座部１４１の端面１４１１が筐体１０の内枠右端部１０１に近接しているときであっても、取っ手部１２の側面と筐体１０の内枠右端部１０１との間に十分なギャップがあることから、ユーザが調光基板を容易にスライドさせることができる。ギャップＧを５０ｍｍ以下とすると取っ手部１２と台座部１４１が目立つことにより調光装置１の美観が低下しまうのを抑制できる。 
【００８８】
なお、台座部１４１の端面１４１１に弾性体を貼合しても良いし、台座部１４１そのものを弾性体で構成しても良い。また、図１４Ｂでは、取っ手部１２と台座部１４１は別の部材で構成することが示されているが、取っ手部１２と台座部１４１を一体成形しても良い。このとき、取っ手部と台座部とを合わせて取っ手部１２と称することも可能であるし、台座付き取っ手部１２と称することも可能である。
【００８９】
＜調光基板の筐体への収容について＞
図１５は、筺体１０の案内レールに第１の調光基板１１−１及び第２の調光基板１１−２を収容する様子を示す図である。
調光装置１の筐体１０は、第１の調光基板１１−１及び第２の調光基板１１−２を保持し、これらをＸ方向に沿った移動を可能にする案内レール１５０を備えている。図１５は、筺体１０の下枠における案内レールのみを示しているが、筺体１０の上枠、左枠、右枠等にも略同様の案内レールが設けられていることに留意すべきである。
【００９０】
案内レール１５０は、断面Ｕ字状である。第１の調光基板１１−１及び第２の調光基板１１−２の移動手段としては、公知の移動手段を採用することができる。例えば、第１の調光基板１１−１及び第２の調光基板１１−２が案内レール１５０に直接接触しながらスライドする構成でもよい。また、図１０Ｂに示されるように、第１の調光基板１１−１及び第２の調光基板１１−２がサッシ構造を有する場合、そのサッシ枠にスライド動作によって適宜回転するローラを設け、当該ローラが案内レール１５０上を滑走するような構成でもよい。
【００９１】
本実施形態では、少なくとも第１の調光基板１１−１がスライド移動可能となっているため、第１の調光基板１１−１及び第２の調光基板１１−２の表面がスライド移動によって擦れてキズが付かないように、それぞれの間に所定の間隔があることが望ましい。そこで、本開示では、第１の調光基板１１−１と第２の調光基板１１−２との間にギャップ構成手段を設けている。図１６は、調光装置１のＡ−Ａ断面であって、第１の調光基板１１−１と第２の調光基板１１−２との間にギャップ構成手段を設けた例を示す図である。
【００９２】
図１６Ａは、当該ギャップ構成手段を、図１Ｄにも示したように、テープ２０で構成した場合の例を示している。図１６Ａの例では、第１の調光基板１１−１及び第２の調光基板１１−２の上下端部に、両基板のすべりを良くするためのテープ２０が貼られている。テープ２０は、所定の厚さを有するため、第１の調光基板１１−１と第２の調光基板１１−２との間のスペーサとしても機能する。
【００９３】
図１６Ｂは、当該ギャップ構成手段を、スペーサ１６０で構成した場合の例を示している。図１６Ｂの例では、当該スペーサ１６０は、第１の調光基板１１−１に取り付けられているが、第２の調光基板１１−２に取り付けても良い。スペーサ１６０は、例えば、板状の部材を用いることができる。また、スペーサ１６０は、その板状の部材の長手方向がＸ方向に沿うように配置されてもよい。さらに、スペーサ１６０は、複数の部材で構成されてもよく、例えば、複数のスペーサが、所定の間隔でＸ方向に沿って配置されてもよい。また、スペーサ１６０の表面は摩擦性が小さい材料で構成されるのが好ましい。このため、スペーサ１６０の表面にテープ２０を貼付しても良い。
【００９４】
＜第１の実施形態の効果＞
第１の実施形態によれば、少なくとも第１の調光基板１１−１の窓面に取っ手部１２を設けているので、ユーザは窓面に直接手を触れる必要性がなくなり、窓面が汚れることを防止することが可能となる。また、取っ手部１２が設けられていない場合には、窓面を指で押圧しながら第１の調光基板１１−１をスライドさせることになるが、この場合、第１の調光基板１１−１と第２の調光基板１１−２とが接触して擦れることにより調光基板面にキズが形成される可能性がある。しかし、取っ手部１２を設けることにより、このような危険性を回避することができる。
【００９５】
さらに、窓面を指で直接触れて第１の調光基板１１−１をスライドさせる場合、第１の調光基板１１−１と第２の調光基板１１−２のそれぞれに形成された調光領域のピッチを精度よく合わせることは非常に困難である。しかし、第１の調光基板１１−１が調光領域のハーフピッチＷ分だけスライド移動できるように取っ手部１２を調光基板１１−１の窓面に設けているので、調光領域のピッチを精度よく合わせることができ、良好な調光機能を提供することできるようになる。
【００９６】
（Ｂ）第２の実施形態
第２の実施形態は、調光部材が複数の調光基板によって構成され、複数の調光基板によって複数の調光部が提供される調光装置に関する。より具体的には、第２の実施形態は、複数の調光基板を筐体に収容し、その調光基板の少なくとも１つに凹部（ざぐり）を設けてスライド移動可能にした調光装置に関する。
【００９７】
＜調光装置の構成＞
図１７は、本開示の第２の実施形態による第１の調光基板１１−１の構成を説明するための図である。図１７Ａは第２の実施形態による第１の調光基板１１−１の外観構成を示し、図１７Ｂは図１７ＡのＢＢ断面を示す図である。図１７Ｃは、サッシ枠を有する第１の調光基板１１−１のＢＢ断面を示す図である。以上のように、凹部１７０は調光基板１１の調光に貢献する領域、及びそれ以外の領域の何れに設けられていてもよい。なお、第１の調光基板１１−１と第２の調光基板１１−２の内部構造や、第１の調光基板１１−１と第２の調光基板１１−２の位置関係によって調光状態が変化するのは第１の実施形態と同様であり、ここではそれらの説明については省略する。
【００９８】
第１の実施形態では、第１の調光基板１１−１の調光面に取っ手部１２を設けているが、図１７Ａ〜Ｃに示されるように、第２の実施形態では取っ手部１２の代わりに凹部（或いはざぐりとも称する）１７０を設けている。凹部１７０の側面は、所定の移動方向に平行な線分と非平行な傾斜面部１７０ａ、１７０ｂを有する。図１７Ｂでは凹部１７０が調光基板１１−１にある形態が開示されている。凹部１７０は、例えば、第１の調光基板１１−１をざぐり加工して形成したり、凹部１７０を有する第１の調光基板１１−１を一体成形したりすることにより形成することができる。図１７Ｂでは凹部１７０が調光基板１１−１外にある形態が開示されている。凹部１７０は、例えば、サッシ枠をざぐり加工して形成することができる。また、凹部１７０は、調光装置１の窓面であればどこでも形成することが可能であるが、ユーザの使い勝手を考慮すると、調光装置１の窓面の上下左右端部の何れかの箇所であって、第１の調光基板１１−１を調光装置１の筐体１０に収容したときに内枠近傍に位置するように形成することが望ましい。
【００９９】
凹部１７０の深さは、特に制限はなく、凹部１７０が第１の調光基板１１−１を厚み方向に貫通するように設けられていてもよい。スライド方向に沿う凹部１７０の幅は、特に制限はないが、例えば、５ｍｍ以上５０ｍｍ以下とするとよい。凹部１７０の幅を５ｍｍ以上にすると、ユーザの指等が凹部１７０の側面に接触しやすくなりスライドをさせやすくなる。凹部１７０の幅を５０ｍｍ以下とすると凹部１７０により、凹部１７０が調光面にある場合に調光装置１の美観が低下してしまうのを抑制でき、また、凹部１７０が調光面外にある場合にサッシ枠の領域の大型化を回避できるからである。なお、凹部１７０の平面視形状は、矩形に限定されることはなく、例えば、多角形、円形等の任意の形状を採用することができる。
【０１００】
なお、第３の実施形態で説明する凸状ストッパ１８０を、第１の実施形態で説明したように、調光領域のピッチを合わせながら、凹部１７０と筐体１０の内枠端部１０１との間に取り付けるようにしても良い。このようにすることにより、調光領域のピッチ精度を出すことができ、良好な調光機能を提供することができるようになる。
【０１０１】
＜第２の実施形態の効果＞
第２の実施形態によれば、調光装置１の窓面に凹部１７０を設けることにより、ユーザはその凹部１７０に指を引っ掛けて第１の調光基板１１−１をスライド移動させることができる。よって、ユーザは窓面の凹部１７０以外の他の部分に直接手を触れる必要性がなくなり、窓面が汚れることを防止することが可能となる。また、凹部１７０が設けられていない場合には、窓面を指で押圧しながら第１の調光基板１１−１をスライドさせることになるが、この場合、第１の調光基板１１−１と第２の調光基板１１−２とが擦れることにより調光基板面にキズが形成される可能性がある。しかし、凹部１７０を窓面の端部付近に設けることにより、このような危険性を回避することができる。
【０１０２】
（Ｃ）第３の実施形態
第３の実施形態は、調光部材が複数の調光基板によって構成され、複数の調光基板によって複数の調光部が提供される調光装置に関する。より具体的には、第３の実施形態は、複数の調光基板を筐体に収容し、その調光基板の少なくとも１つに凹部（ざぐり）を設けてスライド移動可能にするとともに、調光性能を向上させた調光装置に関する。
【０１０３】
＜調光装置の構成＞
図１８は、第３の実施形態による調光装置１の構成例を示す図である。図１８Ａは、第３の実施形態による調光装置１の外観正面を示している。図１８Ｂは、調光装置１に収容されている第１の調光基板１１−１のみの断面を示している。なお、第１の調光基板１１−１と第２の調光基板１１−２の内部構造や、第１の調光基板１１−１と第２の調光基板１１−２の位置関係によって調光状態が変化するのは第１の実施形態と同様であり、ここではそれらの説明については省略する。
【０１０４】
図１８Ａ及びＢに示されるように、第１の調光基板１１−１の表面には、凹部１７０と凸状ストッパ１８０が設けられている。凹部１７０の側面は、所定の移動方向に平行な線分と非平行な傾斜面部１７０ａ、１７０ｂを有する。凸状ストッパ１８０は、図１８では凹部１７０と隣接させて設けられているが、凹部１７０と筐体１０の内枠右端部との間の任意の位置に設けることができる。
【０１０５】
調光装置１は、筺体１０と、筺体１０に収容された第１の調光基板１１−２及び第２の調光基板１１−２と、第１の調光基板１１−１をスライド移動させる場合に凸状ストッパ１８０が当たりそのスライド移動を規制する規制突出部１８１と、筺体１０の内枠右端部１０１からの規制突出部１８１の突出量を調整する突出量調整機構１８２と、を備えている。
【０１０６】
突出量調整機構１８２は、例えば、モンキーレンチにおけるボルト頭部の挟持間隔調整機構と同様な機構を採用することができ、調整ダイヤル部を回転させると、規制突出部１８１の内枠右端部１０１からの突出量を調整することができるようになっている。なお、規制突出部１８１及び突出量調整機構１８２の詳細については図１９を参照して後述する。
【０１０７】
凹部１７０は、第２の実施形態で説明したように、第１の調光基板１１−１の表面をざぐり加工して形成したり、凹部１７０を有する第１基板３１を一体成形したりすることにより形成することができる。また、凸状ストッパ１８０は、上述した取っ手部１２と同様に、例えば透明な部材、当該透明な部材の右端部にクッション部材を貼合したもの、或いは弾性体で構成することができる。或いは、規制突出部１８１における凸状ストッパ１８０との接触面１８１１にクッション材を貼合しても良い。図１８では、第１の調光基板１１−１に凹部１７０と凸状ストッパ１８０を設けているが、第１の実施形態と同様に、取っ手部１２を採用しても良い。
【０１０８】
＜突出量調整機構の詳細構成＞
図１９は、規制突出部１８１及び突出量調整機構１８２の詳細構成例を示す図である。
規制突出部１８１は、平板部材１９０と、平板部材１９０に設けられた溝部１９１と、を備えている。平板部材１９０の形状は、例えば、矩形や、図１９に示されるようにＬ字形状とすることができる。また、平板部材１９０に設けられた溝部１９１は等間隔ピッチで設けられている。溝部１９１のピッチを細かく設定することにより、平板部材１９０の内枠右端部１０１からの突出量を細かく調整することができるようになる。
【０１０９】
突出量調整機構１８２は、ねじ駒形状のダイヤル部１９２と、ダイヤル部１９２の回転軸１９３と、回転軸１９３を収容する軸収容部１９４と、によって構成されている。回転軸１９３を中心にダイヤル部１９２を回転させると、ダイヤル部のねじ部１９２１が平板部材１９０に形成された溝部１９１と噛み合い、平板部材１９０が図面左右方向に移動可能となる。例えば、ダイヤル部材１９２をＣ１方向に回転させると、平板部材１９０は基準面である内枠右端部１０１から突出し、逆にダイヤル部１９２をＣ２方向に回転させると、突出した平板部材１９０は、図面右方向、つまり内枠右端部１０１の方向に退避する。以上のように規制突出部１８１の突出量を調整することにより、第１の調光基板１１−１のスライド移動量を制御することができるようになる。
【０１１０】
＜調光基板の筐体への収容手順＞
以下、第１の調光基板１１−１及び第２の調光基板１１−２を筐体１０に収容し、第１の調光基板１１−１のスライド移動量を調整する手順について説明する。なお、ここでは、第１の調光基板１１−１に凹部１７０が既に設けられているものとして説明する。
【０１１１】
（i）ステップ１
第１の調光基板１１−１及び第２の調光基板１１−２を筐体１０に収容し、第２の調光基板１１−２の左端部を基準位置である筐体内左端部１０２に合わせて固定する。このとき、第１の調光基板１１−１は、筺体１０内をＸ方向にスライド可能である。
【０１１２】
（ii）ステップ２
第１の調光基板１１−１を基準位置に突き当てる。このとき、第１の調光基板１１−１の位相差層のパターンと第２の調光基板１１−２の位相差層のパターンとは整合しており、お互いの位相差層パターンに位置ずれが生じていない。お互いの位相差層パターンに位置ずれが生じていない場合、調光装置１の開口部は明状態（光透過状態）或いは暗状態（遮光状態）となっている。
【０１１３】
（iii）ステップ３
第１の調光基板１１−１を位相差層パターンのハーフピッチＷ分だけスライド移動させ、調光の状態を第１の調光基板１１−１の左端が基準位置にあるときと反転させる。つまり、第１の調光基板１１−１が基準位置にあるときに明状態（光透過状態）であれば暗状態（遮光状態）に、第１の調光基板１１−１が基準位置にあるときに暗状態（遮光状態）であれば明状態（光透過状態）にする。
【０１１４】
（iv）ステップ４
ステップ３で構成した状態を維持しながら、凸状ストッパ１８０を第１の調光基板１１−１の表面に形成された凹部１７０の右隣りに貼り付ける。貼合する手段としては、テープや接着剤、より詳しくは例えば透明エンボステープや光硬化系接着剤を用いることができる。また、第１の調光基板１１−１をスライド移動させたときに生じる凸状ストッパ１８０と規制突出部１８１との衝突の衝撃を緩和するために、凸状ストッパの右端面及び規制突出部１８１の少なくとも一方に緩衝手段、例えば、弾性体であるゴムシートなどを貼り付けても良い。また、凸状ストッパ１８０自体を、弾性を有する透明な材料、例えば、シリコンなどで構成しても良い。なお、凸状ストッパ１８０が第１の調光基板１１−１を構成する第１基板３１に一体成形されている場合には、凸状ストッパ１８０の貼付作業は省略される。また、ここでは、凹部１７０によってユーザの指を引っ掛けて第１の調光基板１１−１をスライド移動させるようにした場合の手順について説明しているが、凹部１７０及び凸状ストッパ１８０の代わりに第１の実施形態による取っ手部１２を用いた場合も同様である。この場合、第１の調光基板１１−１のスライド移動によって、取っ手部１２が規制突出部１８１に当たることとなる。
【０１１５】
（v）ステップ５
さらにステップ３で構成された状態を維持しながら、突出量調整機構１８２のダイヤル部１９２を回転させ、規制突出部１８１が凸状ストッパ１８０に当たるまで内枠右端部１０１から突出させる。
【０１１６】
このようにすることにより、第１の調光基板１１−１のスライド移動距離を制御することができ、調光装置１における調光機能の精度を高めることができるようになる。
【０１１７】
＜第３の実施形態の効果＞
第３の実施形態によれば、調光装置１の窓面に凹部１７０及び凸状ストッパ１８０を設けているので、ユーザは窓面に直接手を触れる必要性がなくなり、窓面が汚れることを防止することが可能となる。また、凹部１７０がないと、指で窓面を押圧して第１の調光基板１１−１をスライドさせることになるが、この場合、第１の調光基板１１−１と第２の調光基板１１−２とが擦れることにより調光基板面にキズが形成される可能性がある。しかし、取っ手部１２を設けることにより、このような危険性を回避することができる。
【０１１８】
さらに、窓面を指で直接触れて第１の調光基板１１−１をスライドさせる場合、第１の調光基板１１−１と第２の調光基板１１−２のそれぞれに形成された調光領域のピッチを精度よく合わせることは非常に困難である。しかし、第１の調光基板１１−１が調光領域のハーフピッチＷ分だけスライド移動できるように凸状ストッパ１８０と規制突出部１８１との位置関係を調整することができるので、調光領域のピッチを精度よく合わせることができ、良好な調光機能を提供することできるようになる。なお、凹部だけでなく、凸状の取っ手の場合も同様に考えることが可能である。
【０１１９】
（Ｄ）まとめ
本開示の各実施形態による調光装置１は、例えば、住宅用窓、パーティション、間仕切り、住宅用天窓、自動車のサンルーフ等に用いることができる。調光装置１が住宅用窓、パーティション、間仕切り等に適用される場合、第１の調光基板１１−１及び第２の調光基板１１−２は、地面に対し垂直ないし斜めに配置されるように構成されてもよい。また、調光装置１が住宅用天窓や自動車のサンルーフ等に適用される場合、第１の調光基板１１−１及び第２の調光基板１１−２は、地面に対し斜めないし平行に配置されるように構成されてもよい。したがって、上述の説明の「上」と「下」の関係は、「天」と「地」の関係に限らない。さらに、調光装置１は、第１の調光基板１１−１及び第２の調光基板１１−２という２つの調光板を有する形態に限らない。つまり、図２０に示されるように、調光装置１は、無限軌道を有し、第１の調光基板１１−１に相当する第１の調光部２００−１と、第２の調光基板１１−２に相当する第２の調光部２００−２と、を有する調光部材を備えるものであってもよい。
各実施形態による技術は、以下のようにまとめることができる。
【０１２０】
（１）開示事項１ 
互いに対向する第１の側と第２の側を規定する調光装置の前記第１の側に配置された第１の調光部と、前記第２の側に配置された第２の調光部と、を有する調光部材を備え、
少なくとも前記第１の調光部は、所定の移動方向に移動可能であって、
前記第１の調光部は、第１軸方向に沿って光学特性が変化する複数の第１調光領域を含み、
前記第２の調光部は、前記第１軸方向に沿って光学特性が変化する複数の第２調光領域を含み、
前記第１調光領域と前記第２調光領域との対向位置によって、前記調光装置の調光状態が変化し、
前記第１の調光部の前記第１の側には、前記所定の移動方向に非平行な傾斜面部が設けられている、調光装置。
【０１２１】
（２）開示事項２
開示事項１において、
前記調光部材は、第１の調光基板と、第２の調光基板とによって構成され、
前記第１の調光基板が、前記第１の調光部を提供し、
前記第２の調光基板が、前記第２の調光部を提供する、調光装置。
【０１２２】
（３）開示事項３
開示事項１又は２において、
前記傾斜面部は、前記第１の調光面の端部近傍に設けられている、調光装置。
【０１２３】
（４）開示事項４
開示事項３において、
前記第１の調光部は、矩形をなしており、
前記傾斜面部は、前記第１の調光部の上端部、下端部、左端部、或いは右端部の近傍に設けられている、調光装置。
【０１２４】
（５）開示事項５
開示事項１乃至４の何れか１項において、
前記傾斜面部は、取っ手部である、調光装置。
【０１２５】
（６）開示事項６
開示事項５において、
前記取っ手部は、透明部材で構成され、透明な接着手段によって前記第１の調光部に貼合されている、調光装置。
【０１２６】
（７）開示事項７
開示事項５又は６において、
前記第１の調光部が、前記取っ手部を含む一体成型品として構成されている、調光装置。
【０１２７】
（８）開示事項８
開示事項５乃至７の何れか１項において、
前記取っ手部が前記調光装置の筐体の内枠端部に接する面の一部に切り欠け部が設けられており、
前記取っ手部が前記筐体の内枠端部に接する場合、前記切り欠け部に前記筐体の内枠端部の一部が収まる、調光装置。
【０１２８】
（９）開示事項９
開示事項５乃至７の何れか１項において、
前記取っ手部の前記第１の調光部からの高さが、前記調光装置の筐体の前記第１の調光部からの高さよりも低い、調光装置。
【０１２９】
（１０）開示事項１０
開示事項５乃至９の何れか１項において、
前記第１の調光部が前記調光装置の筐体において基準となる第１位置にあるとき、前記調光部材の全領域における調光状態が第１状態を示し、
前記第１の調光部が前記所定の移動方向に移動し、前記取っ手部が前記筐体の内枠端部に接する第２位置にあるとき、前記調光部材の全領域における前記調光状態が第２状態を示す、調光装置。
【０１３０】
（１１）開示事項１１
開示事項１０において、
前記第１状態は、光透過状態、又は遮光状態であり、
前記第１状態が光透過状態のとき、前記第２状態は遮光状態であり、前記第１状態が遮光状態とき、前記第２状態は光透過状態である、調光装置。
【０１３１】
（１２）開示事項１２
開示事項１１において、
前記第１の調光部が前記第１位置と前記第２位置との間を移動するに従って、前記調光状態が、前記第１状態と前記第２状態との間において段階的に変化する、調光装置。
【０１３２】
（１３）開示事項１３
開示事項５乃至１２の何れか１項において、
前記調光装置の筐体の内枠端部が前記取っ手部と接する面、及び前記取っ手部が前記筐体の内枠端部と接する面の少なくとも何れか一方に、前記取っ手部が前記筐体の内枠端部に当たるときの衝撃を緩和する緩衝手段が設けられている、調光装置。
【０１３３】
（１４）開示事項１４
開示事項５乃至１３の何れか１項において、
前記取っ手部は、蓄光機能を有している、調光装置。
【０１３４】
（１５）開示事項１５
開示事項５乃至１４の何れか１項において、
前記取っ手の角部が丸められている、調光装置。
【０１３５】
（１６）開示事項１６
開示事項１又は２において、
前記傾斜面部は、取っ手部であり、
前記調光装置の筐体は、前記取っ手部の動く範囲を規制するように構成された窓部を備え、
前記取っ手部は、前記窓部の第１端部から当該第１端部とは異なる第２端部までの範囲内で移動可能となっている、調光装置。
【０１３６】
（１７）開示事項１７
開示事項１６において、
前記取っ手部が前記窓部の前記第１端部にあるとき、前記調光部材の全領域における調光状態が第１状態を示し、
前記取っ手部によって前記第１の調光部が前記所定の移動方向に移動し、前記取っ手部が前記窓部の前記第２端部にあるとき、前記調光部材の全領域における前記調光状態が第２状態を示す、調光装置。
【０１３７】
（１８）開示事項１８
開示事項１７において、
前記第１状態は、光透過状態、又は遮光状態であり、
前記第１状態が光透過状態のとき、前記第２状態は遮光状態であり、前記第１状態が遮光状態とき、前記第２状態は光透過状態である、調光装置。
【０１３８】
（１９）開示事項１９
開示事項１８において、
前記取っ手部が前記第１端部と前記第２端部との間を移動するに従って、前記調光状態が、前記第１状態と前記第２状態との間において段階的に変化する、調光装置。
【０１３９】
（２０）開示事項２０
開示事項１乃至３の何れか１項において、
前記傾斜面部は、前記第１の調光部に設けられた凹部である、調光装置。
【０１４０】
（２１）開示事項２１
開示事項２０において、
前記凹部と前記調光装置の筐体の内枠端部との間に設けられた凸状ストッパ部をさらに備え、
前記凸状ストッパ部が前記筐体の内枠端部に接することにより、前記所定の移動方向への前記第１の調光面の移動を規制するように構成された、調光装置。
【０１４１】
（２２）開示事項２２
開示事項２１において、
前記第１の調光部が前記筐体において基準となる第１位置にあるとき、前記調光部材の全領域における調光状態が第１状態を示し、
前記第１の調光部が前記所定の移動方向に移動し、前記凸状ストッパ部が前記筐体の内枠端部に接する第２位置にあるとき、前記調光部材の全領域における前記調光状態が第２状態を示す、調光装置。
【０１４２】
（２３）開示事項２３
開示事項２２において、
前記第１状態は、光透過状態、又は遮光状態であり、
前記第１状態が光透過状態のとき、前記第２状態は遮光状態であり、前記第１状態が遮光状態とき、前記第２状態は光透過状態である、調光装置。
【０１４３】
（２４）開示事項２４
開示事項２３において、
前記第１の調光部が前記第１位置と前記第２位置との間を移動するに従って、前記調光状態が、前記第１状態と前記第２状態との間において段階的に変化する、調光装置。
【０１４４】
（２５）開示事項２５
開示事項２１乃至２４の何れか１項において、
前記筐体の内枠端部が前記凸状ストッパ部と接する面、及び前記凸状ストッパ部が前記筐体の内枠端部と接する面の少なくとも何れか一方に、前記凸状ストッパ部が前記筐体の内枠端部に当たるときの衝撃を緩和する緩衝手段が設けられている、調光装置。
【０１４５】
（２６）開示事項２６
開示事項２０において、
前記凹部と前記調光装置の筐体の内枠端部との間に設けられた凸状ストッパ部と、
前記筐体の内枠端部から突出する突出部と、
前記突出部の前記内枠端部からの突出量を調整する突出量調整機構と、をさらに備え、
前記凸状ストッパ部が前記突出部に接することにより、前記所定の移動方向への前記第１の調光面の移動を規制するように構成された、調光装置。
【０１４６】
（２７）開示事項２７
開示事項２６において、
前記第１の調光部が前記筐体において基準となる第１位置にあるとき、前記調光部材の全領域における調光状態が第１状態を示し、
前記第１の調光部が前記所定の移動方向に移動し、前記凸状ストッパ部が前記突出部に接する第２位置にあるとき、前記調光部材の全領域における前記調光状態が第２状態を示す、調光装置。
【０１４７】
（２８）開示事項２８
開示事項２７において、
前記第１状態は、光透過状態、又は遮光状態であり、
前記第１状態が光透過状態のとき、前記第２状態は遮光状態であり、前記第１状態が遮光状態とき、前記第２状態は光透過状態である、調光装置。
【０１４８】
（２９）開示事項２９
開示事項２８において、
前記第１の調光面が前記第１位置と前記第２位置との間を移動するに従って、前記調光状態が、前記第１状態と前記第２状態との間において段階的に変化する、調光装置。
【０１４９】
（３０）開示事項３０
開示事項２６乃至２９の何れか１項において、
前記突出部が前記凸状ストッパ部と当接する面、及び前記凸状ストッパ部が前記突出部と当接する面の少なくとも何れか一方に、前記凸状ストッパ部が前記突出部に当たるときの衝撃を緩和する緩衝手段が設けられている、調光装置。
【０１５０】
（３１）開示事項３１
対向する第１面及び第２面を有する基板と、当該基板の前記第１面の上に積層された偏光層と、当該偏光層の上に積層された位相差層と、を備え、
前記基板の前記第２面に、当該第２面とは非平行な傾斜面部が設けられている、調光基板。
【０１５１】
（３２）開示事項３２
開示事項３１において、
前記傾斜面部は、前記基板の中心よりも前記基板の端部により近い位置に設けられている、調光基板。
【０１５２】
（３３）開示事項３３
開示事項３１又は３２において、
前記傾斜面部は、取っ手部又は凹部である、調光基板。
【０１５３】
（３４）開示事項３４
開示事項３１乃至３３の何れか１項において、
前記位相差層は、第１軸方向に沿って光学特性が変化する複数の調光領域を含み、
前記複数の調光領域のそれぞれは、前記第１軸方向に沿って交互に配列された、遅相軸方向が互いに異なる第１領域及び第２領域を含む、調光基板。
【０１５４】
（３５）開示事項３５
開示事項３１乃至３３の何れか１項において、
前記位相差層は、第１軸方向に沿って光学特性が変化する複数の調光領域を含み、
前記複数の調光領域のそれぞれでは、前記第１軸方向に沿って遅相軸方向が段階的に変化している、調光基板。
【０１５５】
（３６）開示事項３６
対向する第１面及び第２面を有する基板と、当該基板の前記第１面の上に積層された偏光層と、を備え、
前記基板の前記第２面に、当該第２面とは非平行な傾斜面部が設けられている、調光基板。
【０１５６】
（３７）開示事項３７
開示事項３６において、
前記偏光層は、それぞれが、第１軸方向の偏光軸を有する第１領域と、前記第１軸方向と直交する第２方向の偏光軸を有する第２領域と、を備える複数の調光領域を含む、調光基板。
【０１５７】
（３８）開示事項３８
調光装置の製造方法であって、
開口を形成する筐体を用意することと、
第１の調光基板と第２の調光基板とを用意することと、
少なくとも前記第１の調光基板が前記筐体の中で所定の移動方向に移動可能なように、前記調光部材を前記筐体に収容することと、
前記第１の調光基板の面に、前記所定の移動方向に非平行な傾斜面部を設けることと、
を含み、
前記第１の調光基板は、第１軸方向に沿って光学特性が変化する複数の第１調光領域を含み、
前記第２の調光基板は、前記第１軸方向に沿って光学特性が変化する複数の第２調光領域を含む、製造方法。
【０１５８】
（３９）開示事項３９
開示事項３８において、
第１の調光基板と第２の調光基板とを用意することは、
前記第１の調光基板と、前記所定の移動方向において前記第１の調光基板の長さよりも長い前記第２の調光基板とを用意することである、製造方法。
【０１５９】
（４０）開示事項４０
開示事項３８又は３９において、
前記第１の調光基板に前記傾斜面部を設けることは、前記筐体の内枠端部付近の前記第１の調光基板に前記傾斜面部を設けることを含む、製造方法。
【０１６０】
（４１）開示事項４１
開示事項３９又は４０において、
前記傾斜面部は、取っ手部であり、
前記第１の調光基板と前記第２の調光基板とを前記筐体に収容することは、
前記第２の調光基板を前記筐体に固定し、前記第１の調光基板を前記筐体の中で前記所定の移動方向に移動可能なようにすることを含み、
前記傾斜面部を設けることは、
前記第１の調光基板の前記所定の移動方向とは反対方向の移動を規制する基準位置に、前記第１の調光基板の端部を合わせ、前記第１の調光基板の前記第１調光領域の位置と前記第２の調光基板の前記第２調光領域との位置を合わせて、前記調光部材の調光状態を第１状態とすることと、
前記調光装置の調光状態が前記第１状態とは異なる第２状態となる位置まで、前記第１の調光基板を前記所定の移動方向に移動させることと、
前記第１の調光基板の位置を前記第２状態の位置に維持しながら、前記取っ手部を前記筐体の内枠端部に接触させて貼合することと、を含む、製造方法。
【０１６１】
（４２）開示事項４２
開示事項４１において、
前記第１状態は、光透過状態、又は遮光状態であり、
前記第１状態が光透過状態のとき、前記第２状態は遮光状態であり、前記第１状態が遮光状態とき、前記第２状態は光透過状態である、製造方法。
【０１６２】
（４３）開示事項４３
開示事項４２において、
前記第１の調光基板が、前記基準位置と、前記調光状態が前記第２状態となる位置との間を移動するに従って、前記調光状態が、前記第１状態と前記第２状態との間において段階的に変化する、製造方法。
【０１６３】
（４４）開示事項４４
開示事項４１乃至４３の何れか１項において、さらに、
前記筐体の内枠端部が前記取っ手部と接する面、及び前記取っ手部が前記筐体の内枠端部と接触する面の少なくとも何れか一方に、前記取っ手部が前記筐体の内枠端部に当たるときの衝撃を緩和する緩衝手段を設けることを含む、製造方法。
【０１６４】
（４５）開示事項４５
調光装置の製造方法であって、
開口部を形成する筐体を用意することと、
一主面と当該一主面とは非平行な傾斜面部とを有する第１の調光基板と、第２の調光基板と、を用意することと、
少なくとも前記第１の調光基板が前記筐体の中で所定の移動方向に移動可能なように、前記１の調光基板と前記第２の調光基板とを前記筐体に収容することと、を含み、
前記第１の調光基板は、第１軸方向に沿って光学特性が変化する複数の第１調光領域を含み、
前記第２の調光基板は、前記第１軸方向に沿って光学特性が変化する複数の第２調光領域を含む、製造方法。
【０１６５】
（４６）開示事項４６
開示事項４５において、
前記第１の調光基板と前記第２の調光基板とを用意することは、前記第１の調光基板と、前記所定の移動方向において前記第１の調光基板の長さよりも長い前記第２の調光基板とを用意することを含む、製造方法。
【０１６６】
（４７）開示事項４７
開示事項４５又は４６において、
前記傾斜面部は、前記第１の調光基板の端部近傍に設けられている、製造方法。
【０１６７】
（４８）開示事項４８
開示事項４６において、
前記傾斜面部は、凹部であり、
前記第１の調光基板と前記第２の調光基板とを前記筐体に収容することは、
前記第２の調光基板を前記筐体に固定し、前記第１の調光基板を前記筐体の中で前記所定の移動方向に移動可能なようにすることと、
前記第１の調光基板の前記所定の移動方向とは反対方向の移動を規制する基準位置に、前記第１の調光基板の端部を合わせ、前記第１の調光基板の前記第１調光領域の位置と前記第２の調光基板の前記第２調光領域との位置を合わせて、前記調光部材の調光状態を第１状態とすることと、
前記調光装置の調光状態が前記第１状態とは異なる第２状態となる位置まで、前記第１の調光基板を前記所定の移動方向に移動させることと、
前記第１の調光基板の位置を前記第２状態の位置に維持しながら、凸状ストッパ部材を前記筐体の内枠端部に接触させて貼合することと、を含む、製造方法。
【０１６８】
（４９）開示事項４９
開示事項４６において、
前記傾斜面部は、凹部であり、
前記第１の調光基板と、前記凹部の位置よりも前記所定の移動方向の側に設けられる凸部とが一体成形品として構成されており、
前記筐体は、前記筐体の内枠端部から突出する突出部と、前記突出部の前記内枠端部からの突出量を調整する突出量調整機構と、を備え、
前記調光部材を前記筐体に収容することは、
前記第２の調光基板を前記筐体に固定し、前記第１の調光基板を前記筐体の中で前記所定の移動方向に移動可能なようにすることと、
前記第１の調光基板の前記所定の移動方向とは反対方向の移動を規制する基準位置に、前記第１の調光基板の端部を合わせ、前記第１の調光基板の前記第１調光領域の位置と前記第２の調光基板の前記第２調光領域との位置を合わせて、前記調光部材の調光状態を第１状態とすることと、
前記調光装置の調光状態が前記第１状態とは異なる第２状態となる位置まで、前記第１の調光基板を前記所定の移動方向に移動させることと、
前記第１の調光基板の位置を前記第２状態の位置に維持しながら、前記凸部が前記突出部に当接するまで、前記突出量調整機構で前記突出部を前記内枠端部から突出させること、を含む、製造方法。
【０１６９】
（５０）開示事項５０
開示事項４９において、
前記第１の調光基板が前記筐体において基準となる第１位置にあるとき、前記調光装置の少なくとも一部の領域における調光状態が第１状態を示し、
前記第１の調光面が前記所定の移動方向に移動し、前記凸部が前記突出部に当接する第２位置にあるとき、前記調光部材の少なくとも一部の領域における前記調光状態が第２状態を示す、製造方法。
【０１７０】
（５１）開示事項５１
開示事項５０において、
前記第１状態は、光透過状態、又は遮光状態であり、
前記第１状態が光透過状態のとき、前記第２状態は遮光状態であり、前記第１状態が遮光状態とき、前記第２状態は光透過状態である、製造方法。
【０１７１】
（５２）開示事項５２
開示事項５１において、
前記第１の調光基板が前記第１位置と前記第２位置との間を移動するに従って、前記調光状態が、前記第１状態と前記第２状態との間において段階的に変化する、製造方法。
【０１７２】
（５３）開示事項５３
開示事項４９至５２の何れか１項において、さらに、
前記突出部が前記凸部と接触する面、及び前記凸部が前記突出部と接触する面の少なくとも何れか一方に、前記凸部が前記突出部に当たるときの衝撃を緩和する緩衝手段を設けることを含む、製造方法。
【０１７３】
（５４）開示事項５４
開示事項４６において、
前記傾斜面部は、取っ手部であり、
前記筐体は、前記筐体の内枠端部から突出する突出部と、前記突出部の前記内枠端部からの突出量を調整する突出量調整機構と、を備え、
前記第１の調光基板と前記第２の調光基板とを前記筐体に収容することは、
前記第２の調光基板を前記筐体に固定し、前記第１の調光基板を前記筐体の中で前記所定の移動方向に移動可能なようにすることと、
前記第１の調光基板の前記所定の移動方向とは反対方向の移動を規制する基準位置に、前記第１の調光基板の端部を合わせ、前記第１の調光基板の前記第１調光領域の位置と前記第２の調光基板の前記第２調光領域との位置を合わせて、前記調光部材の調光状態を第１状態とすることと、
前記調光装置の調光状態が前記第１状態とは異なる第２状態となる位置まで、前記第１の調光基板を前記所定の移動方向に移動させることと、
前記第１の調光基板の位置を前記第２状態の位置に維持しながら、前記取っ手部が前記突出部に当接するまで、前記突出量調整機構で前記突出部を前記内枠端部から突出させること、を含む、製造方法。
【０１７４】
（５５）開示事項５５
開示事項５４において、
前記第１の調光面が前記筐体において基準となる第１位置にあるとき、前記調光装置の少なくとも一部の領域における調光状態が第１状態を示し、
前記第１の調光面が前記所定の移動方向に移動し、前記取っ手部が前記突出部に当接する第２位置にあるとき、前記調光部材の少なくとも一部の領域における前記調光状態が第２状態を示す、製造方法。
【０１７５】
（５６）開示事項５６
開示事項５５において、
前記第１状態は、光透過状態、又は遮光状態であり、
前記第１状態が光透過状態のとき、前記第２状態は遮光状態であり、前記第１状態が遮光状態とき、前記第２状態は光透過状態である、製造方法。
【０１７６】
（５７）開示事項５７
開示事項５６において、
前記第１の調光基板が前記第１位置と前記第２位置との間を移動するに従って、前記調光状態が、前記第１状態と前記第２状態との間において段階的に変化する、製造方法。
【０１７７】
（５８）開示事項５８
開示事項５４至５７の何れか１項において、さらに、
前記突出部が前記取っ手部と接触する面、及び前記取っ手部が前記突出部と接触する面の少なくとも何れか一方に、前記取っ手部が前記突出部に当たるときの衝撃を緩和する緩衝手段を設けることを含む、製造方法。
【０１７８】
（５９）開示事項５９
開示事項５４乃至５８の何れか１項において、
前記取っ手部と前記第１の調光基板とは一体成形品として構成されている、製造方法。
【符号の説明】
【０１７９】
１  調光装置
１０  筐体
１０ａ  開口部（窓部）
１１  調光基板
１１−１  第１の調光基板
１１−２  第２の調光基板
１２  取っ手部
１２ａ，１２ｂ  傾斜面部
２０  テープ
３１  第１基板
３２  第１偏光層
３３  第１位相差層
３４  第１領域
３５  第２領域
４１  第２基板
４２  第２偏光層
４３  第２位相差層
４４  第３領域
４５  第４領域
１０５  小窓部
１１１  第１調光領域
１１２  第２調光領域
１７０  凹部
１７０ａ，１７０ｂ  傾斜面部
１８０  凸状ストッパ
１８１  規制突出部
１８２  突出量調整機構
【図１】
2018072636.tif 000003
【図２】
2018072636.tif 000004
【図３】
2018072636.tif 000005
【図４】
2018072636.tif 000006
【図５】
2018072636.tif 000007
【図６】
2018072636.tif 000008
【図７】
2018072636.tif 000009
【図８】
2018072636.tif 000010
【図９】
2018072636.tif 000011
【図１０】
2018072636.tif 000012
【図１１】
2018072636.tif 000013
【図１２】
2018072636.tif 000014
【図１３】
2018072636.tif 000015
【図１４】
2018072636.tif 000016
【図１５】
2018072636.tif 000017
【図１６】
2018072636.tif 000018
【図１７】
2018072636.tif 000019
【図１８】
2018072636.tif 000020
【図１９】
2018072636.tif 000021
【図２０】
2018072636.tif 000022